(57)【特許請求の範囲】
【請求項１】
無線通信システムにおいてＰＵＳＣＨ（ｐｈｙｓｉｃａｌ  ｕｐｌｉｎｋ  ｓｈａｒｅｄ  ｃｈａｎｎｅｌ）を用いて上りリンク制御情報を送信する方法であって、前記方法は、端末によって実行され、前記方法は、
下りリンク制御情報が受信された時点までの前記端末のために構成された複数のセルグループの中のセルグループと関連付けられたＰＤＳＣＨ（ｐｈｙｓｉｃａｌ  ｄｏｗｎｌｉｎｋ  ｓｈａｒｅｄ  ｃｈａｎｎｅｌ）伝送の累積数を含む前記下りリンク制御情報を受信することであって、前記セルグループは、１個以上の下りリンクセルを含む、ことと、
前記ＰＤＳＣＨ伝送の累積数を用いてＨＡＲＱ（ｈｙｂｒｉｄ  ａｕｔｏｍａｔｉｃ  ｒｅｐｅａｔ  ｒｅｑｕｅｓｔ）  ＡＣＫ（ａｃｋｎｏｗｌｅｄｇｅｍｅｎｔ）ペイロードサイズを決定することと、
前記決定されたＨＡＲＱ  ＡＣＫペイロードサイズを用いて、コーディングされたシンボルの数を計算することと
を含む、方法。
【請求項２】
前記ＰＤＳＣＨ伝送の累積数は、時間優先方式で累積される、請求項１に記載の方法。
【請求項３】
前記下りリンク制御情報は、端末特定探索空間で受信される、請求項１に記載の方法。
【請求項４】
無線通信システムにおいてＰＵＳＣＨ（ｐｈｙｓｉｃａｌ  ｕｐｌｉｎｋ  ｓｈａｒｅｄ  ｃｈａｎｎｅｌ）を用いて上りリンク制御情報を送信するように構成された端末であって、前記端末は、
ＲＦ（ｒａｄｉｏ  ｆｒｅｑｕｅｎｃｙ）ユニットと、
前記ＲＦユニットを制御するプロセッサと
を含み、
前記プロセッサは、
下りリンク制御情報が受信された時点までの前記端末のために構成された複数のセルグループの中のセルグループのＰＤＳＣＨ（ｐｈｙｓｉｃａｌ  ｄｏｗｎｌｉｎｋ  ｓｈａｒｅｄ  ｃｈａｎｎｅｌ）伝送の累積数を含む前記下りリンク制御情報を受信することであって、前記セルグループは、１個以上の下りリンクセルを含む、ことと、
前記ＰＤＳＣＨ伝送の累積数を用いてＨＡＲＱ（ｈｙｂｒｉｄ  ａｕｔｏｍａｔｉｃ  ｒｅｐｅａｔ  ｒｅｑｕｅｓｔ）  ＡＣＫ（ａｃｋｎｏｗｌｅｄｇｅｍｅｎｔ）ペイロードサイズを決定することと、
前記決定されたＨＡＲＱ  ＡＣＫペイロードサイズを用いて、コーディングされたシンボルの数を計算することと
を実行する、端末。
【請求項５】
前記ＰＤＳＣＨ伝送の累積数は、時間優先方式で累積される、請求項４に記載の端末。
【請求項６】
前記下りリンク制御情報は、端末特定探索空間で受信される、請求項４に記載の端末。
【発明の詳細な説明】
【技術分野】
【０００１】
本発明は無線通信システムに関するもので、具体的に上りリンク制御情報を送信するための方法及びそのための装置に関するものである。
【背景技術】
【０００２】
機器間（Ｍａｃｈｉｎｅ−ｔｏ−Ｍａｃｈｉｎｅ、Ｍ２Ｍ）通信と、高いデータ送信量を要求するスマートフォン、タブレットＰＣなどの様々な装置及び技術が出現及び普及されている。これに伴い、セルラー網で処理されることが要求されるデータ量も急増している。このように急増しているデータ処理要求量を満たすために、より多い周波数帯域を效率的に使用するための搬送波集成（ｃａｒｒｉｅｒ  ａｇｇｒｅｇａｔｉｏｎ；ＣＡ）技術、認知無線（ｃｏｇｎｉｔｉｖｅ  ｒａｄｉｏ）技術などと、限定された周波数内で送信されるデータ容量を増大させるための多重アンテナ技術、多重基地局協調技術などが発展している。また、ユーザ機器がその周辺でアクセスできるノードの密度が高くなる方向に通信環境が進展している。ノードとは、１つ以上のアンテナを有しており、ユーザ機器と無線信号を送信／受信できる固定した地点（ｐｏｉｎｔ）のことをいう。高い密度のノードを有する通信システムは、ノード間の協調によってより高い性能の通信サービスをユーザ機器に提供することができる。
【０００３】
複数のノードで同一の時間−周波数リソースを用いてユーザ機器と通信を行う多重ノード協調通信方式は、各ノードが独立した基地局として動作して相互協調無しでユーザ機器と通信を行う既存の通信方式に比べて、データ処理量において格段に優れた性能を示す。
【０００４】
多重ノードシステムは、各ノードが、基地局、アクセスポイント、アンテナ、アンテナグループ、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）として動作する、複数のノードを用いて協調通信を行う。アンテナが基地局に集中して位置している既存の中央集中型アンテナシステムと違い、一般に、多重ノードシステムでは複数のノードが一定間隔以上で離れて位置する。複数のノードは、各ノードの動作を制御したり、各ノードを介して送／受信されるデータをスケジューリングしたりする１つ以上の基地局或いは基地局コントローラ（ｃｏｎｔｒｏｌｌｅｒ）によって管理することができる。各ノードは、当該ノードを管理する基地局或いは基地局コントローラとケーブル或いは専用回線（ｄｅｄｉｃａｔｅｄ  ｌｉｎｅ）で接続される。
【０００５】
このような多重ノードシステムは、分散したノードが同時に異なったストリームを送／受信して単一又は複数のユーザ機器と通信できるという点で、一種のＭＩＭＯ（ｍｕｌｔｉｐｌｅ  ｉｎｐｕｔ  ｍｕｌｔｉｐｌｅ  ｏｕｔｐｕｔ）システムと見なすことができる。ただし、多重ノードシステムは様々な位置に分散しているノードを用いて信号を送信するため、既存の中央集中型アンテナシステムに備えられたアンテナに比べて、各アンテナがカバーすべき送信領域が縮減する。そのため、中央集中型アンテナシステムにおいてＭＩＭＯ技術を具現した既存システムに比べて、多重ノードシステムでは、各アンテナが信号を送信するために必要とする送信電力を減少させることができる。また、アンテナとユーザ機器間の送信距離が短縮するため、経路損失が減少し、データの高速送信が可能になる。これによって、セルラーシステムの送信容量及び電力効率を増大させることができ、セル内のユーザ機器の位置に関係なく、相対的に均一な品質の通信性能を保障することができる。また、多重ノードシステムでは、複数のノードに接続した基地局或いは基地局コントローラがデータ送信／受信に協調するため、送信過程で発生する信号損失が減少する。また、一定の距離以上で離れて位置したノード同士がユーザ機器と協調通信を行う場合、アンテナ間の相関度（ｃｏｒｒｅｌａｔｉｏｎ）及び干渉が軽減することとなる。したがって、多重ノード協調通信方式によれば、高い信号対雑音比（ｓｉｇｎａｌ  ｔｏ  ｉｎｔｅｒｆｅｒｅｎｃｅ−ｐｌｕｓ−ｎｏｉｓｅ  ｒａｔｉｏ、ＳＩＮＲ）が得られる。
【０００６】
このような多重ノードシステムの特長から、次世代移動通信システムにおいて基地局増設費用とバックホール（ｂａｃｋｈａｕｌ）網の保守費用を削減すると同時に、サービスカバレッジの拡大とチャネル容量及びＳＩＮＲの向上のために、多重ノードシステムが、既存の中央集中型アンテナシステムに加えて或いはそれに代えてセルラー通信の新しい基盤として台頭している。
【発明の概要】
【発明が解決しようとする課題】
【０００７】
本発明の目的は、上りリンク制御情報を送信するための方法であって、より効率的なチャネル状態報告及びそれによる適切なスケジューリングのための方法を提供することである。
【０００８】
本発明で達成しようとする技術的課題は前記技術的課題に制限されず、言及しなかった他の技術的課題は下記の記載から本発明が属する技術分野で通常の知識を有する者に明確に理解可能であろう。
【課題を解決するための手段】
【０００９】
本発明の一実施例によると、無線通信システムにおいて物理上りリンク共有チャネル（ＰＵＳＣＨ）を用いて上りリンク制御情報を送信する方法が提供される。この方法は５個を超える数の下りリンクセルが設定された端末によって実行され、前記端末のための１個以上の下りリンクセルで構成されたセルグループの物理下りリンク共有チャネル（ＰＤＳＣＨ）伝送の累積数を含む下りリンク制御情報を受信する段階；前記ＰＤＳＣＨ伝送の累積数を用いて前記上りリンク制御情報をコーディングする段階；及び前記コーディングされた上りリンク制御情報を前記物理上りリンク共有チャネルを介して送信する段階を含む。
【００１０】
追加的に又は代替案として、前記ＰＤＳＣＨ伝送の累積数は前記下りリンク制御情報が受信された時点までの累積した値であってもよい。
【００１１】
追加的に又は代替案として、前記ＰＤＳＣＨ伝送の累積数は時間優先方式で割り当てられることができる。
【００１２】
追加的に又は代替案として、前記方法はセルグループ別に行われることができる。
【００１３】
追加的に又は代替案として、  前記下りリンク制御情報は端末特定探索空間で受信されることができる。
【００１４】
追加的に又は代替案として、前記上りリンク制御情報はＨＡＲＱ（ｈｙｂｒｉｄ  ａｕｔｏｍａｔｉｃ  ｒｅｐｅａｔ  ｒｅｑｕｅｓｔ）ＡＣＫを含むことができる。
【００１５】
追加的に又は代替案として、前記物理上りリンク共有チャネルはセルグループ別に上りリンクリソースを含むことができる。
【００１６】
本発明の一実施例によると、無線通信システムにおいて物理上りリンク共有チャネル（ＰＵＳＣＨ）を用いて上りリンク制御情報を送信するように構成され、かつ５個を超える数の下りリンクセルが設定された端末であって、無線周波数（ｒａｄｉｏ  ｆｒｅｑｕｅｎｃｙ、ＲＦ）ユニット；及び前記ＲＦユニットを制御するように構成されたプロセッサを含み、前記プロセッサは、前記端末のための１個以上の下りリンクセルで構成されたセルグループの物理下りリンク共有チャネル（ＰＤＳＣＨ）伝送の累積数を含む下りリンク制御情報を受信し、前記ＰＤＳＣＨ伝送の累積数を用いて前記上りリンク制御情報をコーディングし、前記コーディングされた上りリンク制御情報を前記物理上りリンク共有チャネルを介して送信するように構成される端末が提供される。
本明細書は、例えば、以下の項目も提供する。
（項目１）
無線通信システムにおいて５個を超える数の下りリンクセルが設定された端末が物理上りリンク共有チャネル（ｐｈｙｓｉｃａｌ  ｕｐｌｉｎｋ  ｓｈａｒｅｄ  ｃｈａｎｎｅｌ；ＰＵＳＣＨ）を用いて上りリンク制御情報を送信する方法であって、
前記端末のための１個以上の下りリンクセルで構成されたセルグループの物理下りリンク共有チャネル（ｐｈｙｓｉｃａｌ  ｄｏｗｎｌｉｎｋ  ｓｈａｒｅｄ  ｃｈａｎｎｅｌ；ＰＤＳＣＨ）伝送の累積数を含む下りリンク制御情報を受信する段階；
前記ＰＤＳＣＨ伝送の累積数を用いて前記上りリンク制御情報をコーディングする段階；及び
前記コーディングされた上りリンク制御情報を前記物理上りリンク共有チャネルを介して送信する段階を含むことを特徴とする、上りリンク制御情報伝送方法。
（項目２）
前記ＰＤＳＣＨ伝送の累積数は前記下りリンク制御情報が受信された時点までの累積した値であることを特徴とする、項目１に記載の上りリンク制御情報伝送方法。
（項目３）
前記ＰＤＳＣＨ伝送の累積数は時間優先方式で割り当てられることを特徴とする、項目１に記載の上りリンク制御情報伝送方法。
（項目４）
前記方法はセルグループ別に行われることを特徴とする、項目１に記載の上りリンク制御情報伝送方法。
（項目５）
前記下りリンク制御情報は端末特定探索空間で受信されることを特徴とする、項目１に記載の上りリンク制御情報伝送方法。
（項目６）
前記上りリンク制御情報はＨＡＲＱ（ｈｙｂｒｉｄ  ａｕｔｏｍａｔｉｃ  ｒｅｐｅａｔ  ｒｅｑｕｅｓｔ）ＡＣＫを含むことを特徴とする、項目１に記載の上りリンク制御情報伝送方法。
（項目７）
前記物理上りリンク共有チャネルはセルグループ別に上りリンクリソースを含むことを特徴とする、項目１に記載の上りリンク制御情報伝送方法。
（項目８）
無線通信システムにおいて物理上りリンク共有チャネル（ｐｈｙｓｉｃａｌ  ｕｐｌｉｎｋ  ｓｈａｒｅｄ  ｃｈａｎｎｅｌ；ＰＵＳＣＨ）を用いて上りリンク制御情報を送信するように構成され、かつ５個を超える数の下りリンクセルが設定された端末であって、
無線周波数（ｒａｄｉｏ  ｆｒｅｑｕｅｎｃｙ、ＲＦ）ユニット；及び
前記ＲＦユニットを制御するように構成されたプロセッサを含み、
前記プロセッサは、
前記端末のための１個以上の下りリンクセルで構成されたセルグループの物理下りリンク共有チャネル（ｐｈｙｓｉｃａｌ  ｄｏｗｎｌｉｎｋ  ｓｈａｒｅｄ  ｃｈａｎｎｅｌ；ＰＤＳＣＨ）伝送の累積数を含む下りリンク制御情報を受信し、前記ＰＤＳＣＨ伝送の累積数を用いて前記上りリンク制御情報をコーディングし、前記コーディングされた上りリンク制御情報を前記物理上りリンク共有チャネルを介して送信するように構成されることを特徴とする、端末。
（項目９）
前記ＰＤＳＣＨ伝送の累積数は前記下りリンク制御情報が受信された時点までの累積した値であることを特徴とする、項目８に記載の端末。
（項目１０）
前記ＰＤＳＣＨ伝送の累積数は時間優先方式で割り当てられることを特徴とする、項目８に記載の端末。
（項目１１）
前記受信、コーディング及び伝送はセルグループ別に行われることを特徴とする、項目８に記載の端末。
（項目１２）
前記上りリンク制御情報はＨＡＲＱ（ｈｙｂｒｉｄ  ａｕｔｏｍａｔｉｃ  ｒｅｐｅａｔ  ｒｅｑｕｅｓｔ）ＡＣＫを含むことを特徴とする、項目８に記載の端末。
（項目１３）
前記下りリンク制御情報は端末特定探索空間で受信されることを特徴とする、項目８に記載の端末。
（項目１４）
前記物理上りリンク共有チャネルはセルグループ別に上りリンクリソースを含むことを特徴とする、項目８に記載の端末。
【００１７】
前記課題解決方法は本発明の実施例の一部に過ぎなく、本発明の技術的特徴が反映された多様な実施例が当該技術分野の通常的な知識を有する者によって以下で詳述する本発明の詳細な説明から導出されて理解されることができる。
【発明の効果】
【００１８】
本発明の一実施例によると、上りリンク制御情報を効率的に送信することができる。
【００１９】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００２０】
本発明に関する理解を助けるために詳細な説明の一部として含まれる添付図面は本発明の実施例を提供し、詳細な説明とともに本発明の技術的思想を説明する。
【図１】無線通信システムで使われる無線フレーム構造の一例を示した図である。
【図２】無線通信システムにおいて下りリンク／上りリンク（ＤＬ／ＵＬ）スロット構造の一例を示した図である。
【図３】３ＧＰＰ  ＬＴＥ／ＬＴＥ−Ａシステムで使われる下りリンク（ｄｏｗｎｌｉｎｋ、ＤＬ）サブフレーム構造を例示した図である。
【図４】３ＧＰＰ  ＬＴＥ／ＬＴＥ−Ａシステムで使われる上りリンク（ｕｐｌｉｎｋ、ＵＬ）サブフレーム構造の一例を示した図である。
【図５】下りリンクと上りリンクの間のリンク構造を示す。
【図６】ＤＡＩに関連した動作を示す。
【図７】ＵＣＩのリソースマッピング例を示す。
【図８】本発明の一実施例によるＵＣＩのための論理リソース領域を示す。
【図９】本発明の一実施例による各ＣＧに対するＵＣＩリソースの割当ての例を示す。
【図１０】本発明の一実施例による各ＣＧに対するＵＣＩリソースの割当ての例を示す。
【図１１】本発明の一実施例による各ＣＧに対するＵＣＩリソースの割当ての例を示す。
【図１２】本発明の一実施例による各ＣＧに対するＵＣＩリソースの割当ての例を示す。
【図１３】本発明の一実施例による各ＣＧに対するＵＣＩリソースの割当ての例を示す。
【図１４】本発明の一実施例による各ＣＧに対するＵＣＩリソースの割当ての例を示す。
【図１５】本発明の一実施例による各ＣＧに対するＵＣＩリソースの割当ての例を示す。
【図１６】本発明の一実施例による各ＣＧに対するＵＣＩリソースの割当ての例を示す。
【図１７】本発明の一実施例による各ＣＧに対するＵＣＩリソースの割当ての例を示す。
【図１８】本発明の一実施例による各ＣＧに対するＵＣＩリソースの割当ての例を示す。
【図１９】本発明の一実施例による各ＣＧに対するＵＣＩリソースの割当ての例を示す。
【図２０】本発明の一実施例によるＤＣＩフォーマットを示す。
【図２１】本発明の一実施例によるＤＣＩフォーマットを示す。
【図２２】本発明の一実施例によるＰＵＳＣＨ（ｐｈｙｓｉｃａｌ  ｕｐｌｉｎｋ  ｓｈａｒｅｄ  ｃｏｎｔｒｏｌ  ｃｈａｎｎｅｌ）リソース別ＵＣＩのリソースマッピング例を示す。
【図２３】本発明の実施例（等）を具現するための装置のブロック図を示す。
【発明を実施するための形態】
【００２１】
以下、本発明に係る好適な実施の形態を添付の図面を参照して詳しく説明する。添付の図面と共に以下に開示される詳細な説明は、本発明の例示的な実施の形態を説明するためのもので、本発明を実施できる唯一の実施の形態を示すためのものではない。以下の詳細な説明は、本発明の完全な理解を提供するために具体的な細部事項を含む。しかし、このような具体的な細部事項無しにも本発明を実施可能であるということが当業者には理解できる。
【００２２】
場合によって、本発明の概念が曖昧になることを避けるために、公知の構造及び装置が省略されることもあり、各構造及び装置の核心機能を中心にしたブロック図の形式で図示されることもある。また、本明細書全体を通じて同一の構成要素には同一の図面符号を付して説明する。
【００２３】
本発明において、ユーザ機器（Ｕｓｅｒ  Ｅｑｕｉｐｍｅｎｔ：ＵＥ）は、固定していても、移動性を有していてもよいもので、基地局（ｂａｓｅ  ｓｔａｔｉｏｎ：ＢＳ）と通信してユーザデータ及び／又は各種制御情報を送受信する各種機器を含む。ＵＥを、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶこともできる。また、本発明において、ＢＳは一般に、ＵＥ及び／又は他のＢＳと通信する固定局（ｆｉｘｅｄ  ｓｔａｔｉｏｎ）を意味し、ＵＥ及び他のＢＳと通信して各種データ及び制御情報を交換する。ＢＳを、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、ＰＳ（Ｐｒｏｃｅｓｓｉｎｇ  Ｓｅｒｖｅｒ）などと呼ぶこともできる。以下の本発明に関する説明てば、ＢＳをｅＮＢと総称する。
【００２４】
本発明でいうノード（ｎｏｄｅ）とは、ＵＥと通信して無線信号を送信／受信できる固定した地点（ｐｏｉｎｔ）を指す。様々な形態のｅＮＢをその名称にかかわらずノードとして用いることができる。例えば、ＢＳ、ＮＢ、ｅＮＢ、ピコ−セルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）であってもよい。ＲＲＨ、ＲＲＵなどは一般にｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は一般に、光ケーブルなどの専用回線（ｄｅｄｉｃａｔｅｄ  ｌｉｎｅ）でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント（ｐｏｉｎｔ）と呼ばれることもある。アンテナが基地局に集中して位置して１つのｅＮＢコントローラ（ｃｏｎｔｒｏｌｌｅｒ）によって制御される既存の（ｃｏｎｖｅｎｔｉｏｎａｌ）中央集中型アンテナシステム（ｃｅｎｔｒａｌｉｚｅｄ  ａｎｔｅｎｎａ  ｓｙｓｔｅｍ、ＣＡＳ）（すなわち、単一ノードシステム）と違い、多重ノードシステムにおいて複数のノードは一般に一定間隔以上で離れて位置する。これらの複数のノードは、各ノードの動作を制御したり、各ノードを通して送／受信されるデータをスケジューリング（ｓｃｈｅｄｕｌｉｎｇ）する１つ以上のｅＮＢ或いはｅＮＢコントローラによって管理することができる。各ノードは、当該ノードを管理するｅＮＢ或いはｅＮＢコントローラとケーブル（ｃａｂｌｅ）或いは専用回線（ｄｅｄｉｃａｔｅｄ  ｌｉｎｅ）で接続することができる。多重ノードシステムにおいて、複数のノードへの／からの信号送信／受信には、同一のセル識別子（ｉｄｅｎｔｉｔｙ、ＩＤ）が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル（例えば、マクロ−セル／フェムト−セル／ピコ−セル）システムと見なすことができる。複数のノードのそれぞれが形成した多重セルがカバレッジによってオーバーレイ（ｏｖｅｒｌａｙ）する形態で構成されると、これらの多重セルが形成したネットワークを特に多重−階層（ｍｕｌｔｉ−ｔｉｅｒ）ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００２５】
以下に説明する本発明の多重ノードシステムにおいて、複数のノードに接続した１つ以上のｅＮＢ或いはｅＮＢコントローラが、上記複数のノードの一部又は全てを介してＵＥに同時に信号を送信或いは受信するように上記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム（例えば、ＣＡＳ、従来のＭＩＭＯシステム、従来の中継システム、従来のリピータシステムなど）と異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ（Ｃｒｏｓｓ  ｐｏｌａｒｉｚｅｄ）アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００２６】
複数の送信（Ｔｘ）／受信（Ｒｘ）ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ  ＭＩＭＯ又はＣｏＭＰ（Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ）という。このようなノード間協調通信のうち、協調送信技法は、ＪＰ（ｊｏｉｎｔ  ｐｒｏｃｅｓｓｉｎｇ）とスケジューリング協調（ｓｃｈｅｄｕｌｉｎｇ  ｃｏｏｒｄｉｎａｔｉｏｎ）とに区別できる。前者はＪＴ（ｊｏｉｎｔ  ｔｒａｎｓｍｉｓｓｉｏｎ）／ＪＲ（ｊｏｉｎｔ  ｒｅｃｅｐｔｉｏｎ）とＤＰＳ（ｄｙｎａｍｉｃ  ｐｏｉｎｔ  ｓｅｌｅｃｔｉｏｎ）とに区別し、後者はＣＳ（ｃｏｏｒｄｉｎａｔｅｄ  ｓｃｈｅｄｕｌｉｎｇ）とＣＢ（ｃｏｏｒｄｉｎａｔｅｄ  ｂｅａｍｆｏｒｍｉｎｇ）とに区別できる。ＤＰＳは、ＤＣＳ（ｄｙｎａｍｉｃ  ｃｅｌｌ  ｓｅｌｅｃｔｉｏｎ）と呼ぶこともできる。他の協調通信技法に比べて、ノード間協調通信技法のうちのＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、上記複数のノードから受信した信号を合成して上記ストリームを復元する。ＪＴ／ＪＲでは、同一のストリームが複数のノードから／に送信されるため、送信ダイバーシティ（ｄｉｖｅｒｓｉｔｙ）によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００２７】
本発明でいうセル（ｃｅｌｌ）とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル（ｓｅｒｖｉｎｇ  ｃｅｌｌ）という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ  ＬＴＥ−Ａベースのシステムにおいて、ＵＥは、特定ノードからの下りリンクチャネル状態を、上記特定ノードのアンテナポートが上記特定ノードに割り当てられたＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成（ｒｅｓｏｕｒｃｅ  ｃｏｎｆｉｇｕｒａｔｉｏｎ）、サブフレームオフセット（ｏｆｆｓｅｔ）及び送信周期（ｔｒａｎｓｍｉｓｓｉｏｎ  ｐｅｒｉｏｄ）などによってＣＳＩ−ＲＳが割り当てられたサブフレームを特定するサブフレーム構成（ｓｕｂｆｒａｍｅ  ｃｏｎｆｉｇｕｒａｔｉｏｎ）、ＣＳＩ−ＲＳシーケンスのうちの少なくとも１つが互いに異なることを意味する。
【００２８】
本発明において、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶ時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素（Ｒｅｓｏｕｒｃｅ  Ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００２９】
図１は、無線通信システムで用いられる無線フレーム構造の一例を示す図である。特に、図１（ａ）は、３ＧＰＰ  ＬＴＥ／ＬＴＥ−Ａシステムで用いられる周波数分割デュプレックス（ｆｒｅｑｕｅｎｃｙ  ｄｉｖｉｓｉｏｎ  ｄｕｐｌｅｘ、ＦＤＤ）用フレーム構造を示しており、図１（ｂ）は、３ＧＰＰ  ＬＴＥ／ＬＴＥ−Ａシステムで用いられる時分割デュプレックス（ｔｉｍｅ  ｄｉｖｉｓｉｏｎ  ｄｕｐｌｅｘ、ＴＤＤ）用フレーム構造を示している。
【００３０】
図１を参照すると、３ＧＰＰ  ＬＴＥ／ＬＴＥ−Ａシステムで用いられる無線フレームは、１０ｍｓ（３０７２００Ｔｓ）の長さを有し、１０個の均等なサイズのサブフレーム（ｓｕｂｆｒａｍｅ、ＳＦ）で構成される。１無線フレームにおける１０個のサブフレームにはそれぞれ番号を与えることができる。ここで、Ｔｓは、サンプリング時間を表し、Ｔｓ＝１／（２０４８＊１５ｋＨｚ）で表示される。それぞれのサブフレームは、１ｍｓの長さを有し、２個のスロットで構成される。１無線フレームにおいて２０個のスロットには０から１９までの番号を順次に与えることができる。それぞれのスロットは０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ、ＴＴＩ）と定義される。時間リソースは、無線フレーム番号（或いは、無線フレームインデックスともいう）、サブフレーム番号（或いは、サブフレームインデックスともいう）、スロット番号（或いは、スロットインデックスともいう）などによって区別することができる。
【００３１】
無線フレームは、デュプレックス（ｄｕｐｌｅｘ）技法によって別々に設定（ｃｏｎｆｉｇｕｒｅ）することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００３２】
表１は、ＴＤＤで、無線フレームにおけるサブフレームのＤＬ−ＵＬ構成（ｃｏｎｆｉｇｕｒａｔｉｏｎ）を例示するものである。
【００３３】
【表１】
0006454786.tif 000002
【００３４】
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信のために留保される時間区間であり、ＵｐＰＴＳは上りリンク送信のために留保される時間区間である。表２は、特異サブフレーム構成を例示するものである。
【００３５】
【表２】
0006454786.tif 000003
【００３６】
図２は、無線通信システムにおいて下りリンク／上りリンク（ＤＬ／ＵＬ）スロット構造の一例を示す図である。特に、図２は、３ＧＰＰ  ＬＴＥ／ＬＴＥ−Ａシステムのリソース格子（ｒｅｓｏｕｒｃｅ  ｇｒｉｄ）の構造を示す。アンテナポート当たりに１個のリソース格子がある。
【００３７】
図２を参照すると、スロットは、時間ドメイン（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数ドメイン（ｆｒｅｑｕｅｎｃｙ  ｄｏｍａｉｎ）で複数のリソースブロック（ｒｅｓｏｕｒｃｅ  ｂｌｏｃｋ、ＲＢ）を含む。ＯＦＤＭシンボルは、１シンボル区間を意味することもある。図２を参照すると、各スロットで送信される信号は、
【００３８】
【化１】
0006454786.tif 000004
【００３９】
の副搬送波（ｓｕｂｃａｒｒｉｅｒ）と
【００４０】
【化２】
0006454786.tif 000005
【００４１】
のＯＦＤＭシンボルとで構成されるリソース格子（ｒｅｓｏｕｒｃｅ  ｇｒｉｄ）と表現することができる。ここで、
【００４２】
【化３】
0006454786.tif 000006
【００４３】
は、下りリンクスロットにおけるリソースブロック（ｒｅｓｏｕｒｃｅ  ｂｌｏｃｋ、ＲＢ）の個数を表し、
【００４４】
【化４】
0006454786.tif 000007
【００４５】
は、ＵＬスロットにおけるＲＢの個数を表す。
【００４６】
【化５】
0006454786.tif 000008
【００４７】
は、ＤＬ送信帯域幅とＵＬ送信帯域幅にそれぞれ依存する。
【００４８】
【化６】
0006454786.tif 000009
【００４９】
は、下りリンクスロットにおけるＯＦＤＭシンボルの個数を表し、
【００５０】
【化７】
0006454786.tif 000010
【００５１】
は、ＵＬスロットにおけるＯＦＤＭシンボルの個数を表す。
【００５２】
【化８】
0006454786.tif 000011
【００５３】
は、１つのＲＢを構成する副搬送波の個数を表す。
ＯＦＤＭシンボルは、多元接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１つのスロットに含まれるＯＦＤＭシンボルの数は、チャネル帯域幅、ＣＰ長によって様々に変更可能である。例えば、正規（ｎｏｒｍａｌ）ＣＰの場合は、１つのスロットが７個のＯＦＤＭシンボルを含むが、拡張（ｅｘｔｅｎｄｅｄ）ＣＰの場合は、１つのスロットが６個のＯＦＤＭシンボルを含む。図２では、説明の便宜のために、１つのスロットが７  ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
【００５４】
【化９】
0006454786.tif 000012
【００５５】
の副搬送波を含む。副搬送波の類型は、データ送信のためのデータ副搬送波、参照信号（ｒｅｆｅｒｅｎｃｅ  ｓｉｇｎａｌ）の送信のための参照信号副搬送波、ガードバンド（ｇｕａｒｄ  ｂａｎｄ）及びＤＣ（Ｄｉｒｅｃｔ  Ｃｕｒｒｅｎｔ）成分のためのヌル（ｎｕｌｌ）副搬送波に分類することができる。  ＤＣ成分のためのヌル副搬送波は、未使用のまま残される副搬送波であり、ＯＦＤＭ信号生成過程或いは周波数アップ変換過程で搬送波周波数（ｃａｒｒｉｅｒ  ｆｒｅｑｕｅｎｃｙ、ｆ０）にマップされる。搬送波周波数は中心周波数（ｃｅｎｔｅｒ  ｆｒｅｑｕｅｎｃｙ、ｆｃ）と呼ばれることもある。
【００５６】
１  ＲＢは、時間ドメインで
【００５７】
【化１０】
0006454786.tif 000013
【００５８】
（例えば、７個）の連続するＯＦＤＭシンボルと定義され、周波数ドメインで
【００５９】
【化１１】
0006454786.tif 000014
【００６０】
（例えば、１２個）の連続する副搬送波と定義される。参考として、１つのＯＦＤＭシンボルと１つの副搬送波で構成されたリソースをリソース要素（ｒｅｓｏｕｒｃｅ  ｅｌｅｍｅｎｔ、ＲＥ）或いはトーン（ｔｏｎｅ）という。したがって、１つのＲＢは、
【００６１】
【化１２】
0006454786.tif 000015
【００６２】
のリソース要素で構成される。リソース格子における各リソース要素は、１つのスロットにおけるインデックス対（ｋ，１）によって固有に定義できる。ｋは、周波数ドメインで０から
【００６３】
【化１３】
0006454786.tif 000016
【００６４】
まで与えられるインデックスであり、ｌは、時間ドメインで０から
【００６５】
【化１４】
0006454786.tif 000017
【００６６】
まで与えられるインデックスである。
【００６７】
１サブフレームにおいて
【００６８】
【化１５】
0006454786.tif 000018
【００６９】
の連続した同一副搬送波を占有しながら、当該サブフレームにおける２個のスロットのそれぞれに１個ずつ位置する２個のＲＢを物理リソースブロック（ｐｈｙｓｉｃａｌ  ｒｅｓｏｕｒｃｅ  ｂｌｏｃｋ、ＰＲＢ）対（ｐａｉｒ）という。ＰＲＢ対を構成する２個のＲＢは、同一のＰＲＢ番号（或いは、、ＰＲＢインデックスともいう）を有する。ＶＲＢは、リソース割当のために導入された一種の論理的リソース割当単位である。ＶＲＢはＰＲＢと同じサイズを有する。ＶＲＢをＰＲＢにマップする方式によって、ＶＲＢは、局部（ｌｏｃａｌｉｚｅｄ）タイプのＶＲＢと分散（ｄｉｓｔｒｉｂｕｔｅｄ）タイプのＶＲＢとに区別される。局部タイプのＶＲＢはＰＲＢに直接マップされて、ＶＲＢ番号（ＶＲＢインデックスともいう）がＰＲＢ番号に直接対応する。すなわち、ｎＰＲＢ＝ｎＶＲＢとなる。局部タイプのＶＲＢには０からＮＤＬＶＲＢ−１順に番号が与えられ、ＮＤＬＶＲＢ＝ＮＤＬＲＢである。したがって、局部マップ方式によれば、同一のＶＲＢ番号を有するＶＲＢが第１のスロットと第２のスロットにおいて、同一ＰＲＢ番号のＰＲＢにマップされる。一方、分散タイプのＶＲＢはインターリービングを経てＰＲＢにマップされる。そのため、同一のＶＲＢ番号を有する分散タイプのＶＲＢは、第１のスロットと第２のスロットにおいて互いに異なる番号のＰＲＢにマップされることがある。サブフレームの２つのスロットに１個ずつ位置し、同一のＶＲＢ番号を有する２個のＰＲＢをＶＲＢ対と称する。
図３は、３ＧＰＰ  ＬＴＥ／ＬＴＥ−Ａシステムで用いられる下りリンク（ｄｏｗｎｌｉｎｋ、ＤＬ）サブフレーム構造を例示する図である。
【００７０】
図３を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで先頭部における最大３（或いは４）個のＯＦＤＭシンボルは、制御チャネルが割り当てられる制御領域に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域に用いられるＯＦＤＭシンボル以外のＯＦＤＭシンボルは、ＰＤＳＣＨが割り当てられるデータ領域に該当する。以下、ＤＬサブフレームでＰＤＳＣＨ送信に利用可能なリソース領域をＰＤＳＣＨ領域と称する。３ＧＰＰ  ＬＴＥで用いられるＤＬ制御チャネルの例としては、ＰＣＦＩＣＨ、ＰＤＣＣＨ、ＰＨＩＣＨなどを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００７１】
ＰＤＣＣＨを介して送信される制御情報を上りリンク制御情報（ＤＣＩ）と呼ぶ。ＤＣＩは、ＵＥ又はＵＥグループのためのリソース割当情報及び他の制御情報を含む。例えば、ＤＣＩは、ＤＬ共有チャネル（ｄｏｗｎｌｉｎｋ  ｓｈａｒｅｄ  ｃｈａｎｎｅｌ、ＤＬ−ＳＣＨ）の送信フォーマット及びリソース割当情報、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダムアクセス応答のような上位層（ｕｐｐｅｒ  ｌａｙｅｒ）制御メッセージのリソース割当情報、ＵＥグループ内の個別ＵＥへの送信電力制御命令（Ｔｒａｎｓｍｉｔ  Ｃｏｎｔｒｏｌ  Ｃｏｍｍａｎｄ  Ｓｅｔ）、送信電力制御（Ｔｒａｎｓｍｉｔ  Ｐｏｗｅｒ  Ｃｏｎｔｒｏｌ）命令、ＶｏＩＰ（Ｖｏｉｃｅ  ｏｖｅｒ  ＩＰ）の活性化（ａｃｔｉｖａｔｉｏｎ）指示情報、ＤＡＩ（Ｄｏｗｎｌｉｎｋ  Ａｓｓｉｇｎｍｅｎｔ  Ｉｎｄｅｘ）などを含む。ＤＬ共有チャネル（ｄｏｗｎｌｉｎｋ  ｓｈａｒｅｄｃｈａｎｎｅｌ、ＤＬ−ＳＣＨ）の送信フォーマット（Ｔｒａｎｓｍｉｔ  Ｆｏｒｍａｔ）及びリソース割当情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当情報は、ＵＬスケジューリング情報或いはＵＬグラント（ＵＬ  ｇｒａｎｔ）とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ  ＬＴＥシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割当（ＲＢ  ａｌｌｏｃａｔｉｏｎ）、ＭＣＳ（ｍｏｄｕｌａｔｉｏｎ  ｃｏｄｉｎｇｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環遷移ＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要請、ＤＬ割当インデックス（ＤＬ  ａｓｓｉｇｎｍｅｎｔ  ｉｎｄｅｘ）、ＨＡＲＱプロセスナンバー、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組合せが下りリンク制御情報としてＵＥに送信される。
【００７２】
一般に、ＵＥに構成された送信モード（ｔｒａｎｓｍｉｓｓｉｏｎ  ｍｏｄｅ、ＴＭ）によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００７３】
ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集成（ａｇｇｒｅｇａｔｉｏｎ）上で送信される。ＣＣＥは、ＰＤＣＣＨに無線チャネル状態に基づく符号化率（ｃｏｄｉｎｇ  ｒａｔｅ）を提供するために用いられる論理的割当ユニット（ｕｎｉｔ）である。ＣＣＥは、複数のリソース要素グループ（ｒｅｓｏｕｒｃｅ  ｅｌｅｍｅｎｔ  ｇｒｏｕｐ、ＲＥＧ）に対応する。例えば、１  ＣＣＥは９個のＲＥＧに対応し、１  ＲＥＧは４個のＲＥに対応する。３ＧＰＰ  ＬＴＥシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間（Ｓｅａｒｃｈ  Ｓｐａｃｅ、ＳＳ）と呼ぶ。探索空間内でＰＤＣＣＨが送信されてもよい個別リソースをＰＤＣＣＨ候補（ｃａｎｄｉｄａｔｅ）と呼ぶ。ＵＥがモニタリング（ｍｏｎｉｔｏｒｉｎｇ）するＰＤＣＣＨ候補の集合を探索空間と定義する。３ＧＰＰ  ＬＴＥ／ＬＴＥ−ＡシステムでそれぞれのＤＣＩフォーマットのための探索空間は異なるサイズを有してもよく、専用（ｄｅｄｉｃａｔｅｄ）探索空間と共通（ｃｏｍｍｏｎ）探索空間とが定義されている。専用探索空間は、ＵＥ−特定（ｓｐｅｃｉｆｉｃ）探索空間であり、それぞれの個別ＵＥのために構成（ｃｏｎｆｉｇｕｒａｔｉｏｎ）される。共通探索空間は、複数のＵＥのために構成される。次表は、探索空間を定義する集成レベルを例示するものである。
【００７４】
【表３】
0006454786.tif 000019
【００７５】
１つのＰＤＣＣＨ候補は、ＣＣＥ集成レベル（ａｇｇｒｅｇａｔｉｏｎ  ｌｅｖｅｌ）によって１、２、４又は８個のＣＣＥに対応する。ｅＮＢは、探索空間内の任意のＰＤＣＣＨ候補上で実際ＰＤＣＣＨ（ＤＣＩ）を送信し、ＵＥは、ＰＤＣＣＨ（ＤＣＩ）を探すために探索空間をモニタリングする。ここで、モニタリングとは、全てのモニタリングされるＤＣＩフォーマットによって当該探索空間内の各ＰＤＣＣＨの復号（ｄｅｃｏｄｉｎｇ）を試みる（ａｔｔｅｍｐｔ）ことを意味する。ＵＥは、上記複数のＰＤＣＣＨをモニタリングし、自身のＰＤＣＣＨを検出することができる。基本的に、ＵＥは、自身のＰＤＣＣＨが送信される位置を知らないことから、毎サブフレームごとに当該ＤＣＩフォーマットの全てのＰＤＣＣＨに対して、自身の識別子を有するＰＤＣＣＨを検出するまで復号を試みるが、このような過程をブラインド検出（ｂｌｉｎｄ  ｄｅｔｅｃｔｉｏｎ）（ブラインド復号（ｂｌｉｎｄ  ｄｅｃｏｄｉｎｇ、ＢＤ））という。
【００７６】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨを割り当てることができる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、上記ＵＥ或いはＵＥグループがどのようにＰＤＳＣＨデータを受信して復号すればよいかなどを示す情報がＰＤＣＣＨに含まれて送信される。例えば、特定ＰＤＣＣＨが"Ａ"というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスキング（ｍａｓｋｉｎｇ）されており、"Ｂ"という無線リソース（例、周波数位置）及び"Ｃ"という送信形式情報（例、送信ブロックサイズ、変調方式、コーディング情報など）を用いて送信されるデータに関する情報が特定ＤＬサブフレームで送信されると仮定する。ＵＥは、自身の所有しているＲＮＴＩ情報を用いてＰＤＣＣＨをモニタリングし、"Ａ"というＲＮＴＩを有しているＵＥはＰＤＣＣＨを検出し、受信したＰＤＣＣＨの情報によって"Ｂ"と"Ｃ"で示されるＰＤＳＣＨを受信する。
【００７７】
ＵＥがｅＮＢから受信した信号を復調するには、データ信号と比較する参照信号（ｒｅｆｅｒｅｎｃｅ  ｓｉｇｎａｌ、ＲＳ）が必要である。参照信号とは、ｅＮＢがＵＥに或いはＵＥがｅＮＢに送信する、ｅＮＢとＵＥが互いに知っている、予め定義された特別な波形の信号を意味し、パイロット（ｐｉｌｏｔ）とも呼ばれる。参照信号は、セル内の全ＵＥに共用されるセル−特定（ｃｅｌｌ−ｓｐｅｃｉｆｉｃ）ＲＳと特定ＵＥに専用される復調（ｄｅｍｏｄｕｌａｔｉｏｎ）ＲＳ（ＤＭ  ＲＳ）とに区別される。ｅＮＢが特定ＵＥのための下りリンクデータの復調のために送信するＤＭ  ＲＳをＵＥ−特定的（ＵＥ−ｓｐｅｃｉｆｉｃ）ＲＳと特別に称することもできる。下りリンクでＤＭ  ＲＳとＣＲＳは共に送信されてもよいが、いずれか一方のみが送信されてもよい。ただし、下りリンクでＣＲＳ無しにＭ  ＲＳのみを送信される場合、データと同じプリコーダを適用して送信されるＤＭ  ＲＳは復調の目的にのみ用いることができるため、チャネル測定用ＲＳを別途に提供しなければならない。例えば、３ＧＰＰ  ＬＴＥ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、毎サブフレームごとに送信されるＣＲＳとは違い、複数のサブフレームで構成される所定の送信周期ごとに送信される。
【００７８】
図４は、３ＧＰＰ  ＬＴＥ／ＬＴＥ−Ａシステムで用いられる上りリンク（ＵＬ）サブフレーム構造の一例を示す図である。
【００７９】
図４を参照すると、ＵＬサブフレームは、周波数ドメインで制御領域とデータ領域とに区別できる。１つ又は複数のＰＵＣＣＨを上りリンク制御情報（ＵＣＩ）を運ぶために制御領域に割り当てることができる。１つ又は複数のＰＵＳＣＨをユーザデータを運ぶためにＵＬサブフレームのデータ領域に割り当てることができる。
【００８０】
ＵＬサブフレームではＤＣ（Ｄｉｒｅｃｔ  Ｃｕｒｒｅｎｔ）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマップされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００８１】
ＰＵＣＣＨは、次の制御情報を送信するために用いることができる。
【００８２】
−  ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式を用いて送信される。
【００８３】
−  ＨＡＲＱ−ＡＣＫ：ＰＤＣＣＨに対する応答及び／又はＰＤＳＣＨ上の下りリンクデータパケット（例、コードワード）に対する応答である。ＰＤＣＣＨ或いはＰＤＳＣＨが成功的に受信されたか否かを示す。単一下りリンクコードワードに対する応答としてＨＡＲＱ−ＡＣＫ  １ビットが送信され、２つの下りリンクコードワードに対する応答としてＨＡＲＱ−ＡＣＫ  ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ  ＡＣＫ／ＮＡＣＫ、ＡＣＫ／ＮＡＣＫと同じ意味で使われる。
【００８４】
−ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。
【００８５】
ＵＥがサブフレームで送信可能な上りリンク制御情報（ＵＣＩ）の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が構成されているサブフレームでは、サブフレームの最後のＳＣ−ＦＤＭＡシンボルも除く。参照信号は、ＰＵＣＣＨのコヒーレント（ｃｏｈｅｒｅｎｔ）検出に用いられる。ＰＵＣＣＨは、送信される情報によって様々なフォーマットを支援する。下記の表４に、ＬＴＥ／ＬＴＥ−ＡシステムでＰＵＣＣＨフォーマットとＵＣＩとのマッピング関係を示す。
【００８６】
【表４】
0006454786.tif 000020
【００８７】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報（ＣＳＩ）を運ぶために用いられ、ＰＵＣＣＨフォーマット３系列はＡＣＫ／ＮＡＣＫ情報を送信するために用いられる。
【００８８】
（参照信号（Ｒｅｆｅｒｅｎｃｅ  Ｓｉｇｎａｌ；ＲＳ））
無線通信システムにおいてパケットを送信する時、パケットは無線チャネルを通じて送信されるため、送信過程で信号の歪みが発生することがある。歪まれた信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号（Ｐｉｌｏｔ  Ｓｉｇｎａｌ）又は参照信号（Ｒｅｆｅｒｅｎｃｅ  Ｓｉｇｎａｌ）という。
多重アンテナを用いてデータを送受信する場合には、各送信アンテナと受信アンテナ間のチャネル状況を知ってこそ正しい信号を受信することができる。したがって、各送信アンテナ別に、より詳しくはアンテナポート（ａｎｔｅｎｎａ  ｐｏｒｔ）別に異なった参照信号が存在しなければならない。
参照信号は上りリンク参照信号と下りリンク参照信号とに区別できる。現在、ＬＴＥシステムには、上りリンク参照信号として、
ｉ）ＰＵＳＣＨ及びＰＵＣＣＨを通じて送信された情報のコヒーレント（ｃｏｈｅｒｅｎｔ）な復調のためのチャネル推定のための復調参照信号（ＤｅＭｏｄｕｌａｔｉｏｎ−Ｒｅｆｅｒｅｎｃｅ  Ｓｉｇｎａｌ、ＤＭ−ＲＳ）
ｉｉ）基地局が、ネットワークの異なる周波数における上りリンクチャネル品質を測定するためのサウンディング参照信号（Ｓｏｕｎｄｉｎｇ  Ｒｅｆｅｒｅｎｃｅ  Ｓｉｇｎａｌ、ＳＲＳ）がある。
一方、下りリンク参照信号としては、
ｉ）セル内の全ての端末が共有するセル−特定参照信号（Ｃｅｌｌ−ｓｐｅｃｉｆｉｃ  Ｒｅｆｅｒｅｎｃｅ  Ｓｉｇｎａｌ、ＣＲＳ）
ｉｉ）特定端末だけのための端末−特定参照信号（ＵＥ−ｓｐｅｃｉｆｉｃ  Ｒｅｆｅｒｅｎｃｅ  Ｓｉｇｎａｌ）
ｉｉｉ）ＰＤＳＣＨが送信される場合に、コヒーレントな復調のために送信される（ＤｅＭｏｄｕｌａｔｉｏｎ−Ｒｅｆｅｒｅｎｃｅ  Ｓｉｇｎａｌ、ＤＭ−ＲＳ）
ｉｖ）下りリンクＤＭＲＳが送信される場合に、チャネル状態情報（Ｃｈａｎｎｅｌ  Ｓｔａｔｅ  Ｉｎｆｏｒｍａｔｉｏｎ；ＣＳＩ）を伝達するためのチャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）
ｖ）ＭＢＳＦＮ（Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ）モードで送信される信号に対するコヒーレントな復調のために送信されるＭＢＳＦＮ参照信号（ＭＢＳＦＮ  Ｒｅｆｅｒｅｎｃｅ  Ｓｉｇｎａｌ）
ｖｉ）端末の地理的位置情報を推定するために用いられる位置参照信号（Ｐｏｓｉｔｉｏｎｉｎｇ  Ｒｅｆｅｒｅｎｃｅ  Ｓｉｇｎａｌ）がある。
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースで共に送る参照信号であって、端末は当該参照信号を受信することによってチャネル測定をしてデータを復調することが可能になる。この参照信号は、データの送信される領域で送信されなければならない。
【００８９】
（ＣＳＩ報告）
３ＧＰＰ  ＬＴＥ（−Ａ）システムでは、ユーザ機器（ＵＥ）がチャネル状態情報（ＣＳＩ）を基地局（ＢＳ）に報告するように定義されており、チャネル状態情報（ＣＳＩ）とは、ＵＥとアンテナポート間に形成される無線チャネル（リンクともいう。）の品質を示し得る情報のことを総称する。例えば、ランク指示子（ｒａｎｋ  ｉｎｄｉｃａｔｏｒ；ＲＩ）、プリコーディング行列指示子（ｐｒｅｃｏｄｉｎｇ  ｍａｔｒｉｘ  ｉｎｄｉｃａｔｏｒ；ＰＭＩ）、チャネル品質指示子（ｃｈａｎｎｅｌ  ｑｕａｌｉｔｙ  ｉｎｄｉｃａｔｏｒ；ＣＱＩ）などがそれに当たる。ここで、ＲＩはチャネルのランク（ｒａｎｋ）情報を示し、これは、ＵＥが同一の時間−周波数リソースで受信するストリームの個数を意味する。この値は、チャネルのロングタームフェージング（ｆａｄｉｎｇ）に従って決定されるため、通常、ＰＭＩ、ＣＱＩに比べて長い周期でＵＥからＢＳへフィードバックされる。ＰＭＩはチャネル空間特性を反映した値であり、ＳＩＮＲなどのメトリック（ｍｅｔｒｉｃ）を基準に、ＵＥの好むプリコーディングインデックスを示す。ＣＱＩは、チャネルの強度を示す値であり、一般に、ＢＳがＰＭＩを用いた時に得られる受信ＳＩＮＲを意味する。
【００９０】
上記無線チャネルの測定に基づいて、ＵＥは、現在チャネル状態下で上記ＢＳによって用いられると最適又は最高の伝送レートが導出され得る、好むＰＭＩ及びＲＩを計算し、計算されたＰＭＩ及びＲＩを上記ＢＳにフィードバックする。ここで、ＣＱＩは、上記フィードバックされたＰＭＩ／ＲＩに対する収容可能なパケット誤り率（ｐａｃｋｅｔ  ｅｒｒｏｒ  ｐｒｏｂａｂｉｌｉｔｙ）を提供する変調及びコーディング方式（ｍｏｄｕｌａｔｉｏｎ  ａｎｄ  ｃｏｄｉｎｇ  ｓｃｈｅｍｅ）を示す。
【００９１】
一方、より精密なＭＵ−ＭＩＭＯと明示的なＣｏＭＰ動作を含むことが期待されるＬＴＥ−Ａシステムにおいて、現在のＣＳＩフィードバックはＬＴＥで定義されたものであり、このため、かかるな新しく導入される動作を十分に支援することができない。ＣＳＩフィードバックの正確度に対する要求事項が、十分なＭＵ−ＭＩＭＯ又はＣｏＭＰスループット（ｔｈｒｏｕｇｈｐｕｔ）利得を得るために益々難しくなることから、ＰＭＩは、ロングターム（ｌｏｎｇ  ｔｅｒｍ）／広帯域（ｗｉｄｅｂａｎｄ）ＰＭＩ（Ｗ１）、及びショートターム（ｓｈｏｒｔ  ｔｅｒｍ）／サブバンド（ｓｕｂｂａｎｄ）ＰＭＩ（Ｗ２）、の２種類で構成されるように合意された。言い換えると、最終ＰＭＩは、Ｗ１とＷ２の関数として表現される。例えば、最終ＰＭＩ  Ｗを次のように定義することができる：Ｗ＝Ｗ１＊Ｗ２、又はＷ＝Ｗ２＊Ｗ１。したがって、ＬＴＥ−Ａにおいて、ＣＳＩはＲＩ、Ｗ１、Ｗ２及びＣＱＩで構成されるだろう。
【００９２】
３ＧＰＰ  ＬＴＥ（−Ａ）システムにおいてＣＳＩ伝送のために用いられる上りリンクチャネルは、次の表５のとおりである。
【００９３】
【表５】
0006454786.tif 000021
【００９４】
表５を参照すると、ＣＳＩは、上位層で定めた周期で、物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）を介して送信されてもよく、スケジューラの必要によって非周期的に物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）を介して送信されてもよい。ＣＳＩがＰＵＳＣＨで送信される場合は、周波数選択的なスケジューリング方式及び非周期的ＣＳＩ伝送である場合にのみ可能である。以下では、スケジューリング方式及び周期性によるＣＳＩ伝送方式について説明する。
【００９５】
１）ＣＳＩ伝送要求制御信号（ＣＳＩ  ｒｅｑｕｅｓｔ）受信後、ＰＵＳＣＨを用いたＣＱＩ／ＰＭＩ／ＲＩの伝送
ＰＤＣＣＨ信号で送信されるＰＵＳＣＨスケジューリング制御信号（ＵＬ  Ｇｒａｎｔ）に、ＣＳＩを送信するように要求する制御信号が含まれ得る。次の表は、ＰＵＳＣＨでＣＱＩ、ＰＭＩ、ＲＩを送信する時のＵＥのモードを表す。
【００９６】
【表６】
0006454786.tif 000022
【００９７】
表６の伝送モードは、上位レイヤで選択され、ＣＱＩ／ＰＭＩ／ＲＩはいずれも同一のＰＵＳＣＨサブフレームで送信される。以下では、各モードによるＵＥの上りリンク伝送方法について説明する。
【００９８】
モード１−２（Ｍｏｄｅ  １−２）は、それぞれのサブバンドに対してデータがサブバンドだけを通じて送信されるという仮定の下にプリコーディング行列を選択する場合を表す。ＵＥは、システム帯域又は上位レイヤで指定した帯域（ｓｅｔ  Ｓ）の全てに対して選択したプリコーディング行列を仮定してＣＱＩを生成する。モード１−２においてＵＥはＣＱＩと各サブバンドのＰＭＩ値を送信することができる。このとき、各サブバンドのサイズは、システム帯域のサイズによって変わってもよい。
【００９９】
モード２−０（Ｍｏｄｅ  ２−０）でのＵＥは、システム帯域又は上位レイヤで指定した指定帯域（ｓｅｔ  Ｓ）に対して、好むＭ個のサブバンドを選択することができる。ＵＥは、選択したＭ個のサブバンドに対してデータを送信するという仮定の下に一つのＣＱＩ値を生成することができる。ＵＥはさらにシステム帯域又はｓｅｔ  Ｓに対して一つのＣＱＩ（ｗｉｄｅｂａｎｄ  ＣＱＩ）値を報告することが好ましい。ＵＥは、選択したＭ個のサブバンドに対して複数個のコードワードがある場合、各コードワードに対するＣＱＩ値を差分形式で定義する。
【０１００】
このとき、差分ＣＱＩ値は、選択したＭ個のサブバンドに対するＣＱＩ値に該当するインデックスと広帯域ＣＱＩ（ＷＢ−ＣＱＩ：Ｗｉｄｅｂａｎｄ  ＣＱＩ）インデックスとの差値と決定される。
【０１０１】
モード２−０のＵＥは、選択したＭ個のサブバンドの位置に関する情報、選択したＭ個のサブバンドに対する一つのＣＱＩ値、及び全帯域又は指定帯域（ｓｅｔ  Ｓ）に対して生成したＣＱＩ値を、ＢＳに送信することができる。このとき、サブバンドのサイズ及びＭ値は、システム帯域のサイズによって変わってもよい。
【０１０２】
モード２−２（Ｍｏｄｅ  ２−２）のＵＥは、Ｍ個の好むサブバンドでデータを送信するという仮定の下に、Ｍ個の好むサブバンドの位置とＭ個の好むサブバンドに対する単一プリコーディング行列を同時に選択することができる。このとき、Ｍ個の好むサブバンドに対するＣＱＩ値は、コードワードごとに定義される。また、ＵＥはさらに、システム帯域又は指定帯域（ｓｅｔ  Ｓ）に対して広帯域ＣＱＩ（ｗｉｄｅｂａｎｄ  ＣＱＩ）値を生成する。
【０１０３】
モード２−２のＵＥは、Ｍ個の好むサブバンドの位置に関する情報、選択されたＭ個のサブバンドに対する一つのＣＱＩ値、Ｍ個の好むサブバンドに対する単一ＰＭＩ、広帯域ＰＭＩ、広帯域ＣＱＩ値を、ＢＳに送信することができる。このとき、サブバンドのサイズ及びＭ値は、システム帯域のサイズによって変わってもよい。
【０１０４】
モード３−０（Ｍｏｄｅ  ３−０）のＵＥは、広帯域ＣＱＩ値を生成する。ＵＥは、各サブバンドでデータを送信するという仮定の下に各サブバンドに対するＣＱＩ値を生成する。このとき、ＲＩ＞１であっても、ＣＱＩ値は最初のコードワードに対するＣＱＩ値だけを示す。
【０１０５】
モード３−１（Ｍｏｄｅ  ３−１）のＵＥは、システム帯域又は指定帯域（ｓｅｔ  Ｓ）に対して単一プリコーディング行列（ｐｒｅｃｏｄｉｎｇ  ｍａｔｒｉｘ）を生成する。ＵＥは各サブバンドに対して先に生成した単一プリコーディング行列を仮定して、コードワード別にサブバンドＣＱＩを生成する。また、ＵＥは単一プリコーディング行列を仮定して広帯域ＣＱＩを生成することができる。各サブバンドのＣＱＩ値は、差分形式で表現することができる。サブバンドＣＱＩ値は、サブバンドＣＱＩインデックスと広帯域ＣＱＩインデックスとの差値と計算される。このとき、サブバンドのサイズは、システム帯域のサイズによって変わってもよい。
【０１０６】
モード３−２（Ｍｏｄｅ３−２）のＵＥは、モード３−１と比較して、全帯域に対する単一プリコーディング行列の代わりに、各サブバンドに対するプリコーディング行列を生成する。
【０１０７】
２）ＰＵＣＣＨを用いた周期的なＣＱＩ／ＰＭＩ／ＲＩの伝送
ＵＥは、ＣＳＩ（例えば、ＣＱＩ／ＰＭＩ／ＰＴＩ（ｐｒｅｃｏｄｉｎｇ  ｔｙｐｅ  ｉｎｄｉｃａｔｏｒ）及び／又はＲＩ情報）をＰＵＣＣＨを介してＢＳに周期的に送信することができる。仮に、ＵＥがユーザデータを送信する旨の制御信号を受信した場合には、ＵＥはＰＵＣＣＨを介してＣＱＩを送信することができる。制御信号がＰＵＳＣＨで送信されても、ＣＱＩ／ＰＭＩ／ＰＴＩ／ＲＩは、次の表に定義されたモードのいずれか一方式によって送信されればよい。
【０１０８】
【表７】
0006454786.tif 000023
【０１０９】
ＵＥは、表７のような伝送モードを有することができる。表７を参照すると、モード２−０（Ｍｏｄｅ  ２−０）及びモード２−１（Ｍｏｄｅ  ２−１）の場合、帯域幅パート（ＢＰ：Ｂａｎｄｗｉｄｔｈ  Ｐａｒｔ）は周波数領域において連続して位置しているサブバンドの集合であり、システム帯域又は指定帯域（ｓｅｔ  Ｓ）のいずれもカバーすることができる。表９で、各サブバンドのサイズ、ＢＰのサイズ及びＢＰの個数は、システム帯域のサイズによって変わってもよい。また、ＵＥは、システム帯域又は指定帯域（ｓｅｔ  Ｓ）をカバーできるように、ＢＰ別にＣＱＩを周波数領域において昇順で送信する。
【０１１０】
ＣＱＩ／ＰＭＩ／ＰＴＩ／ＲＩの伝送組み合わせによって、ＵＥは次のようなＰＵＣＣＨ伝送タイプを有することができる。
【０１１１】
ｉ）タイプ１（Ｔｙｐｅ１）：モード２−０（Ｍｏｄｅ  ２−０）、モード２−１（Ｍｏｄｅ  ２−１）のサブバンドＣＱＩ（ＳＢ−ＣＱＩ）を送信する。
【０１１２】
ｉｉ）タイプ１ａ：サブバンドＣＱＩ及び第２のＰＭＩを送信する
ｉｉｉ）タイプ２、タイプ２ｂ、タイプ２ｃ：広帯域ＣＱＩ及びＰＭＩ（ＷＢ−ＣＱＩ／ＰＭＩ）を送信する。
【０１１３】
ｉｖ）タイプ２ａ：広帯域ＰＭＩを送信する。
【０１１４】
ｖ）タイプ３：ＲＩを送信する。
【０１１５】
ｖｉ）タイプ４：広帯域ＣＱＩを送信する。
【０１１６】
ｖｉｉ）タイプ５：ＲＩ及び広帯域ＰＭＩを送信する。
【０１１７】
ｖｉｉｉ）タイプ６：ＲＩ及びＰＴＩを送信する。
【０１１８】
ＵＥがＲＩと広帯域ＣＱＩ／ＰＭＩを送信する場合、ＣＱＩ／ＰＭＩは、互いに異なる周期とオフセットを有するサブフレームに送信される。また、ＲＩと広帯域ＣＱＩ／ＰＭＩが同一のサブフレームに送信されるべき場合には、ＣＱＩ／ＰＭＩは送信されない。
【０１１９】
（ＤＡＩ（ｄｏｗｎｌｉｎｋ  ａｓｓｉｇｎｍｅｎｔ  ｉｎｄｉｃａｔｏｒ）ｉｎ  ＬＴＥ）
ＦＤＤ方式は独立した周波数帯域別に下りリンク（ｄｏｗｎｌｉｎｋ；ＤＬ）と上りリンク（ｕｐｌｉｎｋ；ＵＬ）を区分して送受信する方式である。したがって、基地局でＤＬ帯域にＰＤＳＣＨを送る場合、端末は完全なデータ受信可否を知らせるＡＣＫ／ＮＡＣＫ応答特定時間の後にＤＬ帯域に対応するＵＬ帯域のＰＵＣＣＨを介して実行することになる。よって、ＤＬとＵＬは一対一で対応して動作することになる。
【０１２０】
具体的に、既存の３ＧＰＰ  ＬＴＥシステムの例では、基地局の下りリンクデータ送信についての制御情報はＰＤＣＣＨを介して端末に送信され、ＰＤＣＣＨを介して自分にスケジュールされたデータをＰＤＳＣＨを介して受信した端末は上りリンク制御情報を送信するチャネルであるＰＵＣＣＨを介してＡＣＫ／ＮＡＣＫを送信する。この場合、一般に、ＡＣＫ／ＮＡＣＫ伝送のためのＰＵＣＣＨは各端末に前もって割り当てられているものではなく、セル内の複数の端末が複数のＰＵＣＣＨを毎時点ごとに分けて使用する構造であり、任意の時点で下りリンクデータを受信した端末がＡＣＫ／ＮＡＣＫを送信するＰＵＣＣＨはその端末が該当下りリンクデータについてのスケジューリング情報を受信したＰＤＣＣＨに対応するＰＵＣＣＨを使うようになる。より具体的に、各下りリンクサブフレームのＰＤＣＣＨが送信される領域は多数のＣＣＥ（ｃｏｎｔｒｏｌ  ｃｈａｎｎｅｌ  ｅｌｅｍｅｎｔ）で構成され、任意のサブフレームで一端末に送信されるＰＤＣＣＨはそのサブフレームのＰＤＣＣＨ領域を成すＣＣＥのうち１個又は複数のＣＣＥ（ｃｏｎｔｒｏｌ  ｃｈａｎｎｅｌ  ｅｌｅｍｅｎｔ）で構成される。また、各上りリンクサブフレームのＰＵＣＣＨが送信される領域には多数のＰＵＣＣＨを送信することができるリソースが存在する。この場合、端末は自分が受信したＰＤＣＣＨを構成するＣＣＥのうち特定（すなわち、１番目）のＣＣＥのインデックスに対応するインデックスに相当するＰＵＣＣＨを介してＡＣＫ／ＮＡＣＫを送信する。図５は前述した構造を示す。
【０１２１】
図５で、ＤＬ  ＣＣの各四角形はＣＣＥを、ＵＬ  ＣＣの各四角形はＰＵＣＣＨを示すものである。図５のように、一端末が４番、５番、６番ＣＣＥで構成されたＰＤＣＣＨを介してＰＤＳＣＨ関連情報を収得し、ＰＤＳＣＨを受信すれば、そのＰＤＣＣＨを構成する１番目ＣＣＥである４番ＣＣＥに対応する４番ＰＵＣＣＨを介してＡＣＫ／ＮＡＣＫを送信する。
【０１２２】
ＦＤＤとは違い、ＴＤＤ方式は同じ周波数帯域を時間領域でＤＬサブフレームとＵＬサブフレームに区分して使用する。よって、ＤＬ／ＵＬに非対称的なデータトラフィック状況の場合、ＤＬサブフレームが多く割り当てられるかＵＬサブフレームが多く割り当てられることもある。このような場合、ＦＤＤとは違い、ＤＬとＵＬサブフレームが一対一で対応しない場合が発生する。特に、ＤＬサブフレームの数がＵＬサブフレームの数より多い場合、複数のサブフレームに送信される複数のＰＤＳＣＨに対するＡＣＫ／ＮＡＣＫ応答を１個のサブフレームで処理しなければならない状況が発生する。
【０１２３】
このように、複数のＤＬサブフレームで複数のＰＤＳＣＨを一端末に送信するとき、基地局は各ＰＤＳＣＨに対して１個ずつ複数のＰＤＣＣＨを送信するようになる。この場合、端末は受信した複数のＰＤＳＣＨに対して１個のＵＬサブフレームを介して１個のＰＵＣＣＨを介してＡＣＫ／ＮＡＣＫを送信することができる。複数のＰＤＳＣＨに対して１個のＡＣＫ／ＮＡＣＫを送信する方式は次のように大きく２個の方式に分けることができる。
【０１２４】
１）束ねられたＡＣＫ／ＮＡＣＫ伝送（ＡＣＫ／ＮＡＣＫバンドリング）：端末は、受信したＰＤＳＣＨの復号化に全て成功した場合、１個のＰＵＣＣＨを介して１個のＡＣＫを送信する。その外の場合にはＮＡＣＫを送信する。
【０１２５】
２）ＰＵＣＣＨ選択伝送：複数のＰＤＳＣＨを受信する端末は任意の方式で自分がＡＣＫ／ＮＡＣＫ伝送に使える複数のＰＵＣＣＨを占有し、ＡＣＫ／ＮＡＣＫを送信するために、このように占有した複数のＰＵＣＣＨのうち任意のＰＵＣＣＨを選択し、選択されたＰＵＣＣＨ上の変調／符号化された内容の組合せを用いて複数のＡＣＫ／ＮＡＣＫを送信する。
【０１２６】
以上の方式で端末機が基地局にＡＣＫ／ＮＡＣＫ信号を送信するときに次のような問題点が発生する。
【０１２７】
−多くのサブフレーム区間の間に基地局が送ったＰＤＣＣＨの一部を端末が逃した場合、端末は逃したＰＤＣＣＨに相当するＰＤＳＣＨが自分に送信された事実も分からないので、ＡＣＫ／ＮＡＣＫの生成に間違いが発生することもある。
【０１２８】
このような間違いを解決するために、ＴＤＤシステムではＤＡＩ（Ｄｏｗｎｌｉｎｋ  Ａｓｓｉｇｎｍｅｎｔ  Ｉｎｄｅｘ）をＰＤＣＣＨに含ませ、１個のＵＬサブフレームのＡＣＫ／ＮＡＣＫリソースに送信されるＰＤＳＣＨの数をカウントして知らせる。例えば、３個のＤＬサブフレームに対して１個のＵＬサブフレームが対応している場合、３個のＤＬサブフレーム区間に送信されるＰＤＳＣＨに順次インデックスを付与（すなわち、順次カウント）し、ＰＤＳＣＨをスケジュールするＰＤＣＣＨに含ませて送り、端末はＰＤＣＣＨに含まれたＤＡＩ情報によって以前のＰＤＣＣＨを正常に受信したかが分かるようになる。
【０１２９】
図６の１番目の例示は、端末（ＵＥ）が２番目ＰＤＣＣＨを逃したとき、最後のＰＤＣＣＨである三番目ＰＤＣＣＨのＤＡＩとその時まで受信したＰＤＣＣＨの数が違うので、以前の２番目ＰＤＣＣＨを逃したことを認識し、よってＡＣＫ／ＮＡＣＫを送信する状況を示している。一方、二番目の例示のように、最後のＰＤＣＣＨを逃した場合、端末は以前までのＤＡＩとその時まで受けたＰＤＣＣＨの数が一致したので、最後のＰＤＣＣＨを逃したことを認識することができなくてＤＬサブフレーム区間の間に２個のＰＤＣＣＨのみがスケジュールされたと認識することがあり得る。この場合、ＡＣＫ／ＮＡＣＫ情報はＤＡＩ＝３に対応するＰＵＣＣＨリソースではないＤＡＩ＝２に対応するＰＵＣＣＨリソースに送信されるので、基地局は端末がＤＡＩ＝３を含むＰＤＣＣＨを逃したと把握することができる。
【０１３０】
この場合、前記説明によるＤＡＩはＤＬ  ＤＡＩを意味し、ＰＤＳＣＨ伝送又はＤＬ  ＳＰＳ解除（ｒｅｌｅａｓｅ）を指示するＤＬ制御情報（例えば、ＰＤＣＣＨ、ＥＰＤＣＣＨ）に含まれて端末に伝達される。ＡＣＫ／ＮＡＣＫの伝送時点で基地局が端末のＵＬ伝送をトリガーする場合、基地局は前記ＵＬ承認（ｇｒａｎｔ）を指示するＤＣＩにＵＬ  ＤＡＩを伝達することができる。前記ＵＬ  ＤＡＩは一定区間内のＡＣＫ／ＮＡＣＫ伝送を実行するＰＤＳＣＨ又はＳＰＳ解除を指示するＰＤＣＣＨ／ＥＰＤＣＣＨの累積した数、あるいはＣＡの場合、ＡＣＫ／ＮＡＣＫを送信するＤＬサブフレームの数を意味する。前記ＵＬ  ＤＡＩによって図６の例示でＰＵＳＣＨにＡＣＫ／ＮＡＣＫをピギーバックする場合、基地局がＵＬ承認の伝送時にＤＡＩ＝３を知らせることにより、端末が二番目ＰＤＣＣＨを逃したことが分かるようにすることができる。
【０１３１】
本発明は、無線通信システムにおいて複数のＣＣ（ｃｏｍｐｏｎｅｎｔ  ｃａｒｒｉｅｒ）の結合を支援する大規模（ｍａｓｓｉｖｅ）ＣＡ（ｃａｒｒｉｅｒ  ａｇｇｒｅｇａｔｉｏｎ）技法を支援するとき、前記ＣＣのＵＣＩ（ｕｐｌｉｎｋ  ｃｏｎｔｒｏｌ  ｉｎｆｏｒｍａｔｉｏｎ）をＵＬ（ｕｐｌｉｎｋ）データチャネル、例えばＰＵＳＣＨ（ｐｈｙｓｉｃａｌ  ｕｐｌｉｎｋ  ｓｈａｒｅｄ  ｃｈａｎｎｅｌ）にピギーバック（ｐｉｇｇｙｂａｃｋ）を実行するために割り当てられるリソースであるＵＣＩリソース（又はＵＣＩペイロードの大きさ）を適応的に変更する方案を提案する。
【０１３２】
３ＧＰＰ  ＬＴＥなどの進歩した無線通信システムでは、上りリンクで情報の特性をＵＣＩとデータに区分し、各情報の特性によって、ＵＣＩを送信するチャネルであるＰＵＣＣＨとデータを送信するチャネルであるＰＵＳＣＨを設計して活用する。しかし、端末がＰＵＣＣＨとＰＵＳＣＨを同時に送信するように設定されていないとき、ＵＣＩを送信しなければならない時点にＰＵＳＣＨ伝送が存在すれば、端末はＵＣＩをＰＵＳＣＨにピギーバックして送信する。図７は、一般ＣＰでＵＣＩがＰＵＳＣＨに送信されるとき、ＵＣＩの詳細内容であるＡＣＫ／ＮＡＣＫ、ＲＩ（ｒａｎｋ  ｉｎｄｉｃａｔｏｒ）、ＣＱＩ（ｃｈａｎｎｅｌ  ｑｕａｌｉｔｙ  ｉｎｄｉｃａｔｏｒ）／ＰＭＩ（ｐｒｅｃｏｄｉｎｇ  ｍａｔｒｉｘ  ｉｎｄｉｃａｔｏｒ）などがリソース領域上でマッピングされる方式を示す。図７は本発明の実施例によるＬＴＥシステムにおいて１ＲＢにＰＵＳＣＨリソースが割り当てられた場合の例示であり、横軸はＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）シンボルを、縦軸はサブキャリアを示す。この場合、ＳＣ−ＦＤＭＡシンボルの時間インデックスは左側から右側方向に行くほど増加し、サブキャリアの周波数インデックスは上から下方に行くほど増加する。また、各ＵＣＩの種類別に違うハッチングで領域が表現され、同じ領域内の数字はコーディングされたシンボルのマッピング順を意味する。
【０１３３】
この場合、ＣＱＩ／ＰＭＩはＡＣＫ／ＮＡＣＫのリソース位置を考慮せずにマッピングを実行し、よってＡＣＫ／ＮＡＣＫが全てのＳＣ−ＦＤＭＡシンボルを占めれば、図５で該当位置のＣＱＩ／ＰＭＩはパンクチャリング（ｐｕｎｃｔｕｒｉｎｇ）される。
【０１３４】
図７で、ＰＵＳＣＨリソース内にＵＣＩが割り当てられるリソース（以下、“ＵＣＩリソース”）の比率が高くなるほど、データを送信するためのリソースが減ることになり、リソースを効率的に活用する側面で前記ＵＣＩリソースは性能を保障する限りで最小に割り当てることが好ましい。特に、前記ＵＣＩの種類のうちＨＡＲＱ−ＡＣＫは実際ＤＬ（ｄｏｗｎｌｉｎｋ）スケジューリングが実行されたＰＤＳＣＨに対するＡＣＫ又はＮＡＣＫを報告することが前記リソース活用の効率性の側面で好ましい。しかし、前記のように動作する場合、基地局は特定のＰＤＳＣＨでＤＬスケジューリングを実行したが、端末がＤＣＩ（ｄｏｗｎｌｉｎｋ  ｃｏｎｔｒｏｌ  ｉｎｆｏｒｍａｔｉｏｎ）検出失敗などの理由で該当ＴＢは送信されなかったと判断し、端末が報告したＨＡＲＱ−ＡＣＫ構成（例えば、端末が検出したＰＤＳＣＨに対するＨＡＲＱ−ＡＣＫバンドリング）と基地局が期待したＨＡＲＱ−ＡＣＫ構成（例えば、実際送信されたＰＤＳＣＨに対するＨＡＲＱ−ＡＣＫバンドリング）が変わる問題が発生することもある。一例として、基地局がＣＡ技法を適用して端末に２個のＤＬ  ＣＣ（例えば、ＣＣ１、ＣＣ２）を設定し、前記端末は自分が検出したＰＤＳＣＨに対するＨＡＲＱ−ＡＣＫを送信すると仮定する。すると、基地局がＣＣ１とＣＣ２でＰＤＳＣＨを送信しても、端末はＣＣ２に対するＰＤＳＣＨ検出のみ成功し、ＣＣ２で送信されたＰＤＳＣＨに対するＨＡＲＱ−ＡＣＫを報告するようになる。一方、基地局は２個のＰＤＳＣＨに対する２個のＨＡＲＱ−ＡＣＫを期待するようになり、ＢＤ（ｂｌｉｎｄ  ｄｅｔｅｃｔｉｏｎ）などの方式で１個のＨＡＲＱ−ＡＣＫが報告された事実が分かっても該当ＨＡＲＱ−ＡＣＫがどのＣＣで送信されたＰＤＳＣＨに対するものであるかが分からない。
【０１３５】
前記のような問題を解決するために、ＬＴＥシステムでは、基地局は端末に対してＤＬスケジューリングが実行可能な全ての潜在的なＰＤＳＣＨに対してＨＡＲＱ−ＡＣＫフィードバック（例えば、コードブック又はペイロードサイズ）を構成／設定し、端末は前記全てのＰＤＳＣＨに対するＨＡＲＱ−ＡＣＫを送信する。ただ、特定のＰＤＳＣＨでデータ伝送がないか端末が検出に失敗した場合はＤＴＸとして定義されてＨＡＲＱ−ＡＣＫに報告されるようにする。この場合、前記ＤＴＸはＮＡＣＫと一緒に束ねられてＮＡＣＫ／ＤＴＸの１個の状態として報告されることができる。一例として、ＬＴＥシステムにおいてＣＡ技法が適用され、ＰＵＳＣＨリソースを介してＨＡＲＱ−ＡＣＫを送信する場合、基地局が端末に対して設定した全てのＣＣで伝送可能なＰＤＳＣＨに基づいてＨＡＲＱ−ＡＣＫを報告するように設計された。一方、ＬＴＥ  Ｒｅｌ−１０／１１／１２システムでは、端末に最大５個までのＣＣを結合して下りリンクデータを送信するＣＡ技術が考慮されたが、ＬＴＥ  Ｒｅｌ−１３では近年急激に増加するＤＬトラフィック（ｔｒａｆｆｉｃ）量を支援する目的で前記ＣＣの数を最大３２（又は１６）個まで確張する大規模（ｍａｓｓｉｖｅ）ＣＡ技法が論議されている。前記大規模ＣＡ技法などによって端末に設定可能なＣＣの数が大きく増加する場合、前記既存ＬＴＥシステムの方式と同様に、ＰＵＳＣＨリソース内のＵＣＩピギーバック過程で端末に設定された全てのＣＣで伝送可能なＰＤＳＣＨに対するＨＡＲＱ−ＡＣＫを報告すれば、ＰＵＳＣＨリソース内のＵＣＩリソースの比率が高くなってデータ伝送のためのリソース領域が減ることになる。また、複数の前記大規模ＣＡ技法で活用しようとするＣＣの大部分がＰＤＳＣＨ伝送チャネルセンシング結果によって機会的に発生する非兔許帯域（Ｕｎｌｉｃｅｎｓｅｄ  ｂａｎｄ）のリソースとして構成されると展望されることによって前記非効率性がもっと深刻になると期待される。
【０１３６】
したがって、本発明は、大規模ＣＡ技法を支援しているうちにＰＵＳＣＨリソース内でＵＣＩピギーバックを実行するとき、ＵＣＩリソースを必要によって適応的に変更するための方法として、大別して（１）ＵＥがＰＤＳＣＨを検出したＣＧ（ＣＣ  ｇｒｏｕｐ）別に互いに区分されるＵＣＩリソースに送信する方案と、（２）基地局がＵＣＩピギーバック対象となるＣＧを直接指示する方案を提案する。以下では本発明の具体的な実施例としてＬＴＥシステムでの動作を説明するが、本発明はいずれの無線通信システムにも適用可能である。
【０１３７】
（各ＣＧに対する個別ＵＣＩコーディング／リソースマッピング）
（−各ＣＧに対するＵＣＩリソース）
本発明の具体的な実施例によって、端末がＰＵＳＣＨリソースにＵＣＩピギーバックを実行するとき、複数のＣＣで構成された１個以上のＣＧについての情報が基地局から端末に直接シグナリングされるかあるいはセルインデックス及びセル数などに基づいて特定の規則に従って前もって設定され、端末は各ＣＧ別に該当ＣＧ内の全てのＣＣに対応するＵＣＩを結合した後、ＣＧ別に個別（ｓｅｐａｒａｔｅ）コーディング（例えば、ＲＭ（ｒｅｅｄ−ｍｕｌｌｅｒ）コード）を適用して各ＣＧに対するＵＣＩリソースを導出する方案を提案する。この場合、前記ＵＣＩリソースはＵＣＩ伝送のためのコーディングされたビット又は複数のコーディングされたシンボル又は複数のＲＥ（ｒｅｓｏｕｒｃｅ  ｅｌｅｍｅｎｔ）を意味することができ、各ＣＧ別に相異なる（又は区分される）ＵＣＩリソースが構成／割当てされることができる。本発明で、ＣＧ別に個別コーディングが適用されるとは、同じ単一エンコーダーの入力ペイロード（ｉｎｐｕｔ  ｐａｙｌｏａｄ）が互いに異なる複数のＣＧに対応するＵＣＩの組合せで構成されない（言い換えれば、各エンコーダーの入力ペイロードは同じ単一ＣＧに対応するＵＣＩのみで構成される）ことを意味する。
【０１３８】
ＨＡＲＱ−ＡＣＫの場合を考慮するとき、好ましくは個別ＣＣで伝送可能なＰＤＳＣＨの実際ＤＬスケジューリングが実行されたかを反映してＵＣＩペイロードサイズ又はＵＣＩリソースを決定することができる。前記のような方式は柔軟なＵＣＩリソース割当てが可能であるが、端末と基地局の間の前記柔軟なＵＣＩリソース変更を認知するためのシグナリングオーバーヘッドの増加又は基地局具現の複雑度の増加が隋伴することができる。一例として、基地局がＨＡＲＱ−ＡＣＫ伝送対象となるＣＣを指示する場合、ＰＵＳＣＨリソースをトリガーするＤＣＩにＣＣドメインのＤＡＩ（Ｄｏｗｎｌｉｎｋ  Ａｓｓｉｇｎｍｅｎｔ  Ｉｎｄｅｘ）を追加することができる。すなわち、前記ＤＡＩは最大３２個のＣＣに対するＤＬスケジューリングが実行されるかを指示することができ、この場合、シグナリングオーバーヘッドが大きく増加することができる。よって、本発明では、前記問題を緩和する側面で、ＵＣＩリソースを適応的に変更することができる最小単位としてＣＧの概念を仮定し、各ＣＧに対するＵＣＩリソースに対しては端末が任意に変更せずに、該当ＣＧに属する全てのＣＣに対応するＵＣＩに基づいて算定する方案を提案する。本発明で、ＣＧは１個又は１個以上のセルで構成されることができる。
【０１３９】
（−各ＣＧに対するＵＣＩリソースを区分して割り当てる方案）
（１．  論理リソース領域）
本発明の具体的な実施例によって、端末がＰＵＳＣＨリソースに複数のＣＧに対するＵＣＩを送信するとき、前記ＰＵＳＣＨリソース内の時間／周波数リソース領域のＲＥに対してインデックスを付与し、前記インデックスによる仮想的な論理リソース領域を定義し、前記論理リソース領域内で各ＣＧに対するＵＣＩリソースを区分して割り当てる方案を提案する。この場合、前記論理リソース領域内のｉ番目インデックスを有するＲＥは前記ＰＵＳＣＨリソース内の時間／周波数リソース領域のＲＥのうちＵＣＩに対するｉ番目コーディングされたシンボルが割り当てられるＲＥとして決定されることができる。
【０１４０】
一例として、ＨＡＲＱ−ＡＣＫの場合、図７でＰＵＳＣＨリソース内のＨＡＲＱ−ＡＣＫのために伝送可能なＲＥが０から２１までのインデックスが付与され、前記インデックスによる論理リソース領域を図８のように考慮することができる。
【０１４１】
ここで、図８は便宜上図７で示したインデックシングを仮定したが、基地局と端末の間のインデックシング方式はＵＣＩのために割当て可能な最大ＲＥ数まで適用されるかあるいは基地局が設定した特定のＲＥ数まで適用されることができる。すなわち、端末はＰＵＳＣＨリソースで特定のＵＣＩのために割り当てられることができる全てのＲＥ数を仮定して前記ＵＣＩリソース割当てのための論理リソース領域を構成するか、あるいは基地局が上位階層信号などによって設定したＵＣＩペイロードサイズを仮定して計算されたＲＥ数を考慮して前記論理リソース領域を構成することができる。例えば、ＨＡＲＱ−ＡＣＫの場合、図７のようにＰＵＳＣＨリソースとして１個のＲＢ（ｒｅｓｏｕｒｃｅ  ｂｌｏｃｋ）が割り当てられれば、最大４個のシンボルに相当する４８個のＲＥに対するインデックスを付与して論理リソース領域を定義することができる。
【０１４２】
（１．１  各ＣＧに対するＵＣＩペイロードサイズに比例する各ＣＧに対する個別ＵＣＩリソース設定及びＵＣＩ割当て方案）
本発明の具体的な実施例によって、端末がＰＵＳＣＨリソースに複数のＣＧに対するＵＣＩを送信し、前記方式のように順次的な（ｏｒｄｅｒｅｄ）ＲＥで構成された論理リソース領域が定義されたとき、全てのＣＧに対するＵＣＩペイロードであるＢｔｏｔビットに基づいてＮｔｏｔ個のＲＥで構成されたＵＣＩリソース（又はＮｔｏｔ個のコーディングされたシンボル）を決定し、ｋ番目ＣＧに対するＵＣＩリソースは前記Ｎｔｏｔ個のＲＥをｋ番目ＣＧのＵＣＩペイロードであるＢｋビットに比例して分配してＣＧ別に個別ＵＣＩリソースを定義する方案を提案する。すなわち、全てのＫ個のＣＧがあり、ｋ番目ＣＧに対する個別ＵＣＩリソースがＮｋであれば、各ＣＧに対する個別ＵＣＩリソースは前記Ｎｔｏｔ個のＲＥ内で互いに重複するリソース（例えば、ＲＥ）を持たず、Ｎ０＋Ｎ１＋…＋ＮＫ−１≦Ｎｔｏｔの関係を満たす。
【０１４３】
一例として、ＨＡＲＱ−ＡＣＫの場合、本発明の実施例によるＬＴＥシステムにおいて、ＰＵＳＣＨリソースが１個のＴＢ（ｔｒａｎｓｐｏｒｔ  ｂｌｏｃｋ）を送信するとき、ＨＡＲＱ−ＡＣＫペイロードサイズのＯビットに対応するＵＣＩリソース、つまりコーディングされたシンボルの数、Ｑ’は下記の式１のように決定することができる。
【０１４４】
【数１】
0006454786.tif 000024
【０１４５】
ここで、
【０１４６】
【化１６】
0006454786.tif 000025
【０１４７】
は割り当てられたＰＵＳＣＨリソースの周波数領域でのサブキャリアの数を、
【０１４８】
【化１７】
0006454786.tif 000026
【０１４９】
はＰＵＳＣＨリソースが割り当てられたＳＣ−ＦＤＭＡシンボルの数を、Ｋｒはｒ番目コードブロックで送信されるビット数を、
【０１５０】
【化１８】
0006454786.tif 000027
【０１５１】
は設計パラメーターを意味し、
【０１５２】
【化１９】
0006454786.tif 000028
【０１５３】
は上限（ｃｅｉｌｉｎｇ）記号を意味する。
【０１５４】
前記式１を活用すれば、全てのＣＣ（又はＣＧ）に対するＵＣＩペイロードサイズであるＢｔｏｔビットを前記Ｏ値に代入したときのコーディングされたシンボルの数Ｎｔｏｔを計算することができる。すると、ｋ番目ＣＧに対するＵＣＩリソースは該当ＣＧのペイロードサイズがＢｋビットであるとき、前記Ｎｔｏｔ個のＲＥを該当ＣＧのＵＣＩペイロードサイズであるＢｋビットに比例して分配させることによって下記の式２のように計算することができる。
【０１５５】
【数２】
0006454786.tif 000029
【０１５６】
この場合、各ＣＧに対するＵＣＩはＲＭコーディングなどのコーディング技法が適用された母コード（ｍｏｔｈｅｒ  ｃｏｄｅ）の形態として生成され、前記母コードのビットが前記個別ＵＣＩリソースで送信可能なビットより小さい場合には循環反復（ｃｉｒｃｕｌａｒ  ｒｅｐｅｔｉｔｉｏｎ）を行い、大きい場合には母コードの後部を切断（ｔｒｕｎｃａｔｉｏｎ）してレートマッチング（ｒａｔｅ  ｍａｔｃｈｉｎｇ）し、前記個別ＵＣＩリソースで送信されるようにすることができる。
【０１５７】
（１．２  論理リソース領域での順次割当て）
本発明の具体的な実施例によって、端末がＰＵＳＣＨリソースに複数のＣＧに対するＵＣＩを送信し、前記方式のように順次的なＲＥで構成された論理リソース領域が定義されたとき、複数のＣＧについての優先順位情報（又は順序情報）が基地局から端末に直接シグナリングされるかあるいはＣＧインデックスなどに基づいて特定の規則によって前もって規定され、端末は前記ＣＧ間の優先順位（又は順序）によって各ＣＧに対するＵＣＩリソースを前記論理リソース領域に順次割り当てる方案を説明する。
【０１５８】
すなわち、ｎ＋１番目優先順位（又は順序）を有するＣＧに対するＵＣＩリソースはｎ番目優先順位（又は順序）を有するＣＧに対するＵＣＩリソースが割り当てられたＲＥの次のＲＥから割り当てられる。この場合、特定のｍ番目ＣＧに対するＵＣＩリソースを割り当てるためにＬ個のＲＥが必要であり、前記順次割当てによって残っているＲＥ数がＬ個より少ないか残っていない場合、前記端末は前記ｍ番目ＣＧに対するＵＣＩリソースを割り当てないこともある。
【０１５９】
以下、本発明の動作をより明確に説明するために、下記の２個の方案を用いて、特定のＣＧのＵＣＩリソース（例えば、ＵＣＩ伝送のための複数のＲＥ又は複数のコーディングされたシンボル又はコーディングされたビット）を導出する方案を定義する。
【０１６０】
−第１方案：全てのＣＧに対するＵＣＩペイロードサイズＢｔｏｔビットに基づいてＰＵＳＣＨリソース内の全てのＵＣＩリソースをＮｔｏｔ個のＲＥ又はコーディングされたシンボルの数として導出した後、ｋ番目ＣＧのＵＣＩペイロードサイズＢｋビットに比例して前記Ｎｔｏｔ個のＲＥを分配して、ＣＧの間に互いに重複しないように各ＣＧに対するＵＣＩリソースを決定する方案。
【０１６１】
（例示）ＬＴＥシステムで１個のＴＢを送信する場合
まず、全てのＵＣＩペイロードサイズＢｔｏｔビットに基づいて下記の式３のようにＰＵＳＣＨリソース内の全てのコーディングされたシンボルの数Ｎｔｏｔを導出することができる。
【０１６２】
【数３】
0006454786.tif 000030
【０１６３】
ここで、
【０１６４】
【化２０】
0006454786.tif 000031
【０１６５】
は割り当てられたＰＵＳＣＨリソースの周波数領域でのサブキャリアの数を、
【０１６６】
【化２１】
0006454786.tif 000032
【０１６７】
はＰＵＳＣＨリソースが割り当てられたＳＣ−ＦＤＭＡシンボルの数を、Ｋｒはｒ番目コードブロックで送信されるビットの数を、
【０１６８】
【化２２】
0006454786.tif 000033
【０１６９】
は設計パラメーターを意味し、
【０１７０】
【化２３】
0006454786.tif 000034
【０１７１】
は上限（ｃｅｉｌｉｎｇ）記号を意味する。次に、各ｋ番目ＣＧに対するコーディングされたシンボルの数（又はコーディングされたビット）Ｎｋは、該当ＣＧのペイロードサイズがＢｋビットであるとき、前記式のように計算することができる。この場合、各ＣＧに対するＵＣＩリソースは前記Ｎｔｏｔ個のコーディングされたシンボル内で互いに重複するリソース（例えば、コーディングされたシンボル、ＲＥ）を有しない。
【０１７２】
−第２方案：各ＣＧのＵＣＩペイロードサイズに基づいてＵＣＩリソース（例えば、ＵＣＩ伝送のためのコーディングされたシンボル又はコーディングされたビット）を導出する方式
（例示）ＬＴＥシステムで１個のＴＢを送信する場合
第２方案の場合、特定ｋ番目ＣＧに対するＵＣＩペイロードサイズＢｋに基づいて下記の式４のようにＰＵＳＣＨリソース内の全てのコーディングされたシンボルの数Ｎｋを導出することができる。
【０１７３】
【数４】
0006454786.tif 000035
【０１７４】
本発明の説明の便宜上、前記第１方案によって計算された各ＣＧに対するＵＣＩリソース（又は全てのＵＣＩリソースに対して相異なるＣＧの間に重複するリソースを有しないように区分される各ＣＧに対するＵＣＩリソース）は“各ＣＧに対するＵＣＩリソースタイプ１”と、前記第２方案によって計算された各ＣＧに対するＵＣＩリソースは“各ＣＧに対するＵＣＩリソースタイプ２”と言う。
【０１７５】
以下では、前記各ＣＧに対するＵＣＩリソースを順次的なＲＥで構成された論理リソースに対応させる方案を説明する。
【０１７６】
（１）論理リソース領域で順次各ＣＧに対するＵＣＩリソースタイプ１を割り当てる方案
本発明では、具体的に各ＣＧに対するＵＣＩを前記１．１のように定義された互いに重複するＲＥを有しない各ＣＧに対するＵＣＩリソースタイプ１として送信する方案を提案する。この場合、各ＣＧに対するＵＣＩはＲＭコーディングなどのコーディング技法が適用された母コードの形態として生成され、前記母コードのビットが前記ＵＣＩリソースタイプ１で送信可能なビットより小さい場合には循環反復を実行し、大きい場合には母コードの後部を切断してレートマッチングして、前記ＵＣＩリソースタイプ１で送信されるようにすることができる。この場合、全てのＵＣＩリソース（又は論理リソース領域）はＣＧに対するインデックス又は優先順位によって各ＣＧのＵＣＩリソースタイプ１が順次存在する構造を有することができる。
【０１７７】
例えば、図７及び図８のように論理リソース領域が定義され、ＣＧ１に対するＵＣＩリソースタイプ１は１１個のＲＥ、ＣＧ２に対するＵＣＩリソースタイプ１は１１個のＲＥを含むと仮定する。この場合、図９のように論理リソース領域内に順次ＣＧ１に対するＵＣＩリソースタイプ１とＣＧ２に対するＵＣＩリソースタイプ１を割り当てることができる。
【０１７８】
（２）（１）の過程を実行した後、特定のＣＧに対してはＵＣＩリソースタイプ２を割り当てる方案
一方、前記各ＣＧに対するＵＣＩリソースタイプ１はＰＵＳＣＨリソース内のＵＣＩ伝送のために割り当てることができる最大ＵＣＩリソースに対する制約条件のため、各ＣＧに対するＵＣＩペイロードに基づいてコーディングレート（Ｃｏｄｉｎｇ  ｒａｔｅ）を保障するように計算された各ＣＧに対するＵＣＩリソースタイプ２より小さい値を有することができる。この場合、特定のＣＧ１は主に兔許帯域（ｌｉｃｅｎｓｅｄ  ｂａｎｄ）でのＣＣで構成され、ＣＧ２は主に非兔許帯域でのＣＣで構成されれば、相対的にＨＡＲＱプロセスのタイミングに敏感なＣＧ１に対するＵＣＩ伝送優先権を有することができる。前記例示した場合のようにＵＣＩ伝送優先順位が高い特定のＣＧに対するＵＣＩリソースタイプ１がＵＣＩリソースタイプ２より小さければ、該当ＣＧより優先順位の低いＣＧに対するＵＣＩリソースの一部を優先順位の高いＣＧに対するＵＣＩリソースタイプ２に割り当てられるように設計することができる。若しくは、（１）のように全てのＵＣＩリソースを各ＣＧに対するＵＣＩリソースタイプ１単位で区分し、その後、優先順位の高いＣＧはＵＣＩリソースタイプ２に基づいてコーディングされたシンボルを生成し、自分より優先順位の低いＣＧのＵＣＩリソースタイプ１をパンクチャリング（ｐｕｎｃｔｕｒｉｎｇ）することができる。
【０１７９】
例えば、前記（１）の過程によってＰＵＳＣＨリソース内の全てのＵＣＩリソース（又は、論理リソース領域）に対して各ＣＧに対するＵＣＩリソースタイプ１が区分されるように順次割り当てられたと仮定する。この場合、ＵＣＩを順次割り当てる過程でｎ番目でＵＣＩが割り当てられるＣＧ（例えば、ＣＧ１）の優先順位がｎ＋１番目でＵＣＩが割り当てられるＣＧ（例えば、ＣＧ２）より高い場合、ＣＧ１に対するＵＣＩはＵＣＩリソースタイプ２単位でコーディングを行ってＣＧ１に対するＵＣＩリソースタイプ１単位まで優先的に割り当て、前記ＣＧ１に対するＵＣＩリソースタイプ２の残った部分はＣＧ２に対するＵＣＩリソースタイプ１内の前部から順次割り当てられることができる。この場合、ＣＧ２に対するＵＣＩはＣＧ２に対するＵＣＩリソースタイプ１内で前記ＣＧ１に対するＵＣＩリソース割当てが終わった後から順次割り当てられることができる。図１０は前記例示を示す図である。
【０１８０】
代替案として、前記例示において、ＣＧ２に対するＵＣＩは図１０のようにＣＧ２に対するＵＣＩリソースタイプ１に基づいてコーディングが適用されて割り当てられ、ＣＧ１に対するＵＣＩはＵＣＩリソースタイプ２単位でコーディングが適用されてＣＧ１に対するＵＣＩリソースタイプ１に割り当てられて残ったＵＣＩリソースを前記ＣＧ２に対するＵＣＩリソースタイプ１の前部をパンクチャリングする方式で割り当てられることができる。図１１は前記例示を図式化した図である。
【０１８１】
（３）論理リソース領域で各ＣＧに対するＵＣＩリソースタイプ２を順次割り当てる方案
ＣＧ間の優先順位が重要な場合には、ＵＣＩリソースタイプ１を考慮せずに優先順位が高いＣＧ順に各ＣＧに対するＵＣＩリソースタイプ２単位でＵＣＩリソースを順次割り当てる方案も考慮することができる。一例として、ＨＡＲＱ−ＡＣＫの場合、図７及び図８のように論理リソース領域が定義され、ＣＧ１に対するＵＣＩリソースタイプ２は１５個のＲＥを、ＣＧ２に対するＵＣＩリソースタイプ２は１２個のＲＥを含む。すると、図１２の（ａ）又は（ｂ）のようにＣＧ１に対するＵＣＩリソースタイプ２とＣＧ２に対するＵＣＩリソースタイプ２を順次割り当てることができる。
【０１８２】
ここで、図１２の（ａ）はＣＧ２に対するＵＣＩリソースが切断される形態であるにもかかわらず送信する場合を示した図であり、図１２の（ｂ）はＣＧ２に対するＵＣＩリソース伝送は省略する場合を示した図である。
【０１８３】
（１．３  論理リソース領域で最初インデックス及び終了（ｅｎｄｉｎｇ）インデックスに基づく割当て）
本発明の具体的な実施例によって、端末がＰＵＳＣＨリソースに複数のＣＧに対するＵＣＩを送信し、前記方式のように順次的なＲＥで構成された論理リソース領域が定義されたとき、基地局が各ＣＧに対するＵＣＩリソース割当てのための論理リソース領域での最初インデックス及び最後インデックス（又は、最初インデックス及び割り当てられたＲＥの数）を端末に設定し、端末は各ＣＧに対するＵＣＩリソースを該当最初インデックスから最後インデックスまで割り当てる方案を提案する。この場合、特定のＣＧに対するコーディング利得などの側面で、ＵＣＩリソース割当てのために必要なＲＥの数が前記基地局によって割り当てられたＲＥの数より多い場合には、前記ＣＧに対するＵＣＩリソース伝送は省略することができる。
【０１８４】
一例として、ＨＡＲＱ−ＡＣＫの場合、図７及び図８のように論理リソース領域が定義され、ＣＧ１に対するＵＣＩリソースは１５個のＲＥ、ＣＧ２に対するＵＣＩリソースは１２個のＲＥを含む。この場合、基地局がＣＧ１とＣＧ２に対するＵＣＩリソース割当ての最初インデックス及び最後インデックスをそれぞれ（０、１０）、（１１、２１）として設定すれば、図１３のように各ＣＧに対するＵＣＩリソースが割り当てられることができる。
【０１８５】
（１．４  論理リソース領域で最初インデックスとパンクチャリング動作に基づく割当て）
本発明の具体的な実施例によって、端末がＰＵＳＣＨリソースに複数のＣＧに対するＵＣＩを送信し、前記方式のように順次的なＲＥで構成された論理リソース領域が定義されたとき、基地局がＣＧについての優先順位情報（又は順序情報）と各ＣＧに対するＵＣＩリソース割当てのための前記論理リソース領域での最初インデックスを知らせ、端末は優先順位の低い（又は順序が遅い）ＣＧからＵＣＩリソースを割り当て、高い優先順位を有する（又は順序が早い）ＣＧに対するＵＣＩリソースは前記低い優先順位を有するＣＧに対するＵＣＩリソースをパンクチャリングする方式で割り当てる方案を提案する。
【０１８６】
一例として、ＨＡＲＱ−ＡＣＫの場合、図８のように論理リソース領域が定義され、ＣＧ１に対するＵＣＩリソースは１５個のＲＥ、ＣＧ２に対するＵＣＩリソースは１２個のＲＥを含み、ＣＧ１がＣＧ２より優先順位が早いと仮定する。すると、前記方式によって各ＣＧに対するＵＣＩリソースは図１４のように送信されることができる。
【０１８７】
前述した最初インデックス／最後インデックスに基づく割当て、及び最初インデックス／パンクチャリング動作に基づく割当ては組合せられて適用可能である。すなわち、各ＣＧに対するＵＣＩリソースは最初インデックスを有し、基地局がリソースを設定するかによって既存に割り当てられたリソースをパンクチャリングしながら割り当てられるかあるいは最後インデックスまで割り当てられることができる。
【０１８８】
前述したように、ＵＣＩリソースは論理リソース領域と時間／周波数リソース領域間の対応関係によって前記時間／周波数リソース領域内の物理的位置のＲＥによって表現されることができる。一例として、図１３のように２個のＣＧに対するＵＣＩリソースが論理リソースで区分された場合、図７及び図８間の対応関係によって図１５のように実際物理的リソースとして表現されることができる。
【０１８９】
同様に、図１４のＵＣＩリソースは図１６のように実際物理的リソースによって表現されることができる。
【０１９０】
（２．  時間／周波数リソース領域）
（２．１．  各ＣＧに対するＵＣＩリソースを相異なるＳＣ−ＦＤＭＡシンボルに割り当てる方案）
本発明の具体的な実施例によって、端末がＰＵＳＣＨリソースに複数のＣＧに対するＵＣＩを送信するとき、前記端末に対し、基地局は各ＣＧに対するＵＣＩリソースが割り当てられることができるリソース領域を複数のＳＣ−ＦＤＭＡシンボルによって設定し、相異なる各ＣＧに対するＵＣＩリソースが割り当てられるＳＣ−ＦＤＭＡシンボル集合を同一でないように設定する方案を提案する。若しくは、より一般的に、基地局は各ＣＧに対するＵＣＩリソースを互いに区分される時間リソースに割り当てることができる。
【０１９１】
一例として、ＨＡＲＱ−ＡＣＫの場合、図７に示すように、ＰＵＳＣＨリソース内のＨＡＲＱ−ＡＣＫのコーディングされたシンボルが割り当てられることができる最大領域はＰＵＳＣＨＤＭ−ＲＳ（ｄｅｍｏｄｕｌａｔｉｏｎ  ｒｅｆｅｒｅｎｃｅ  ｓｉｇｎａｌ）に隣接した４個のＳＣ−ＦＤＭＡシンボル（すなわち、インデックス２、４、９、１１のＳＣ−ＯＦＤＭシンボル）となることができる。また、端末がＰＵＳＣＨリソースに２個のＣＧ（例えば、ＣＧ１、ＣＧ２）に対するＵＣＩを送信すると仮定すれば、一例として、ＣＧ１に対するＵＣＩリソースが割り当てられることができる最大リソース領域をインデックス２、４のＳＣ−ＦＤＭＡシンボルによって設定し、ＣＧ２に対するＵＣＩリソースが割り当てられることができる最大リソース領域はインデックス９、１１のＳＣ−ＯＦＤＭシンボルによって設定することができる。
【０１９２】
図１７はＣＧ１に対するＵＣＩリソースが１５個のＲＥを、ＣＧ２に対するＵＣＩリソースが１２個のＲＥを含む場合を例示する。
【０１９３】
（２．２  各ＣＧに対するＵＣＩリソースを相異なるＲＢに割り当てる方案）
本発明の具体的な実施例によって、端末がＰＵＳＣＨリソースに複数のＣＧに対するＵＣＩを送信するとき、前記端末に対し、基地局は各ＣＧに対するＵＣＩリソースが割り当てられることができるリソース領域を複数のＲＢによって設定し、前記相異なる各ＣＧに対するＵＣＩリソースが割り当てられるＲＢ集合を同一でないように設定する方案を提案する。若しくは、より一般的に、基地局は各ＣＧに対するＵＣＩリソースを互いに区分される周波数リソースに割り当てることができる。
【０１９４】
一例として、ＨＡＲＱ−ＡＣＫの場合、端末が２個のＲＢで構成されたＰＵＳＣＨリソースに２個のＣＧ（例えば、ＣＧ１、ＣＧ２）に対するＵＣＩを送信すると仮定すれば、各ＣＧに対するＵＣＩリソースを相異なるＲＢに区分して割り当てることができる。
【０１９５】
（−各ＣＧに対するＵＣＩを選択的に送信する方案）
本発明の具体的な実施例によって、端末がＰＵＳＣＨリソースに複数のＣＧに対するＵＣＩを送信し、前記各ＣＧに対するＵＣＩリソース割当て方式のように（ＣＧ別に個別コーディングを適用した後）各ＣＧに対するＵＣＩリソースがリソース領域で区分されるとき、端末が特定のＣＧに対するＵＣＩを選択的に送信し、基地局は各ＣＧに対するＵＣＩリソースが割り当てられるリソース領域別にＢＤ（ｂｌｉｎｄ  ｄｅｔｅｃｔｉｏｎ）を行って特定のＣＧに対するＵＣＩが送信されたかを検出する方案を提案する。この場合、基地局は優先順位の高い（又は順序が早い）ＣＧに対するＵＣＩを先に検出することができる。この場合、端末は（ＡＣＫ／ＮＡＣＫフィードバックが必要な）ＰＤＳＣＨ／ＰＤＣＣＨを受信しないＣＧに対してはＵＣＩを送信せず、該当ＵＣＩリソースをデータで満たす。言い換えれば（各ＣＧに対して）、ＣＧに属する全てのセルに対するスケジューリングがない場合、該当ＣＧに対応するＵＣＩリソースに対してはデータをパンクチャリングしないこともあり、反対にＣＧに属する少なくとも１個のセルに対してスケジューリングがある場合には、該当ＣＧに対応するＵＣＩリソースに対してデータをパンクチャリングして該当ＣＧに対応するＵＣＩ（例えば、ＡＣＫ／ＮＡＣＫ）をマッピングすることができる。
【０１９６】
一例として、図１８で、ＣＧ１に対するＨＡＲＱ−ＡＣＫ伝送の基準（ｒｅｆｅｒｅｎｃｅ）時点でＰＤＳＣＨスケジューリングが存在しなく、ＣＧ１に対して送信するＨＡＲＱ−ＡＣＫ情報がない場合、ＣＧ１に対するＵＣＩを送信せず、該当ＵＣＩリソースではデータ伝送を実行することができる。
【０１９７】
［ＣＧ構成例示］
兔許帯域で定義されたセルをＬ−ｃｅｌｌと、非兔許帯域で定義されたセルをＵ−ｃｅｌｌと言うとき、前記提案方式を活用することができるＣＧ構成の例示として下記のようなＣＧ構成の１個を考慮することができる。
【０１９８】
（１）Ｌ−ｃｅｌｌのみで構成されたＣＧ（ＣＧ１）とＵ−ｃｅｌｌのみで構成されたＣＧ（ＣＧ２）
（２）Ｌ−ｃｅｌｌのみで構成されたＣＧ（ＣＧ１）とＵ−ｃｅｌｌ及びＬ−ｃｅｌｌを含むＣＧ（ＣＧ２）
（３）Ｌ−ｃｅｌｌ及びＵ−ｃｅｌｌを含むＣＧ（ＣＧ１）とＵ−ｃｅｌｌのみで構成されたＣＧ（ＣＧ２）
（４）Ｌ−ｃｅｌｌのみで構成されたＣＧ（ＣＧ１）とＬ−ｃｅｌｌ及びＵ−ｃｅｌｌを含むＣＧ（ＣＧ２）とＵ−ｃｅｌｌのみで構成されたＣＧ（ＣＧ３）
前記Ｕ−ｃｅｌｌでは、ＬＢＴ（ｌｉｓｔｅｎ  ｂｅｆｏｒｅ  ｔａｌｋ）動作に基づいて機会的なＰＤＳＣＨ伝送が行われる。したがって、前記（１）、（２）、（３）の例示において、ＣＧ２はＵ−ｃｅｌｌを多く含むので、ＣＧ１に比べて相対的にＰＤＳＣＨ伝送確率が低い。
【０１９９】
一例として、前記ＣＧ構成例示で、ＣＧ１でのＰＤＳＣＨ伝送が存在し、ＣＧ２でのＰＤＳＣＨ伝送が存在しない場合、ＣＧ１に対するＨＡＲＱ−ＡＣＫは個別コーディングを適用して該当ＣＧ１に対応するＵＣＩリソースで送信し、ＣＧ２に対するＨＡＲＱ−ＡＣＫは省略することができる。
【０２００】
一例として、ＨＡＲＱ−ＡＣＫの場合、ＬＴＥのＦＤＤシステムでの端末は特定の時点でＰＤＳＣＨ伝送に対するＨＡＲＱ−ＡＣＫをＵＣＩピギーバックによってＰＵＳＣＨで送信することができる。前記時点で送信されたＰＤＳＣＨがない場合、端末はＰＵＳＣＨリソースでＨＡＲＱ−ＡＣＫのためのコーディングされたシンボルを割り当てないこともある（例えば、ＤＴＸ）。この場合、基地局はＨＡＲＱ−ＡＣＫに対するコーディングされたシンボルが割り当てられたと仮定してＢＤを行って端末がＨＡＲＱ−ＡＣＫ報告を行ったかを判断することができる。したがって、既存ＬＴＥシステムにおいて、基地局はＨＡＲＱ−ＡＣＫ伝送が行ったかを決定するＢＤ能力を保有すると仮定することができる。
【０２０１】
しかし、前記基地局のＢＤ能力は前もって約束されたリソース領域で前もって約束されたＵＣＩペイロードサイズ（又はＵＣＩリソース）を仮定したとき、ＵＣＩが送信されたかのみを判断することができると期待される。例えば、全部５個のＣＣが端末に設定され、このうち２個のＣＣでＰＤＳＣＨが送信され、端末がＰＵＳＣＨを介して２個のＣＣに対するＨＡＲＱ−ＡＣＫのみを報告したと仮定すると、基地局はＢＤを行って２個のＣＣに対するＨＡＲＱ−ＡＣＫが報告された事実は判別する可能性はあるが、前記２個のＣＣが５個のＣＣのうちどのＣＣに対応するかがわからない。
【０２０２】
したがって、本発明は基地局と端末の間に互いに認知することができる各ＣＧに対するＵＣＩリソースを定義し、前記各ＣＧに対するＵＣＩリソースをリソース領域で区分して割り当てることによって、各ＣＧに対するＵＣＩ伝送が行われたかを決定するために基地局のＢＤを支援することができる。前記動作は、大規模ＣＡ技法が適用されたとき、端末が検出に失敗する場合にあるいはＣＧ内の全てのＣＣに対するＰＤＳＣＨのＨＡＲＱ−ＡＣＫがＮＡＣＫ／ＤＴＸである特定のＣＧに対して、ＨＡＲＱ−ＡＣＫ伝送を省略することができるようにすることによってリソースを効率的に活用することができるようにする。
【０２０３】
以下では、端末がＰＵＳＣＨを介して複数のＣＧに対するＵＣＩを送信し、各ＣＧに対するＵＣＩが区分されるとき、ＴＤＤシステムでＤＡＩ概念を確張して適用する方案について記述する。
【０２０４】
（基地局の明示的シグナリングに基づくＵＣＩリソース適応）
以下の説明では次のようなＣＧ構成例示を考慮する。
【０２０５】
［ＣＧ構成例示］
兔許帯域で定義されたセルをＬ−ｃｅｌｌと、非免許帯域で定義されたセルをＵ−ｃｅｌｌというとき、前記提案方式を活用することができるＣＧ構成の例示として下記のようなＣＧ構成を考慮することができる。
【０２０６】
（１）Ｌ−ｃｅｌｌのみで構成されたＣＧ（ＣＧ１）とＵ−ｃｅｌｌのみで構成されたＣＧ（ＣＧ２）
（２）Ｌ−ｃｅｌｌのみで構成されたＣＧ（ＣＧ１）とＵ−ｃｅｌｌ及びＬ−ｃｅｌｌを含むＣＧ（ＣＧ２）
（３）Ｌ−ｃｅｌｌ及びＵ−ｃｅｌｌを含むＣＧ（ＣＧ１）とＵ−ｃｅｌｌのみで構成されたＣＧ（ＣＧ２）
（４）Ｌ−ｃｅｌｌのみで構成されたＣＧ（ＣＧ１）とＬ−ｃｅｌｌ及びＵ−ｃｅｌｌを含むＣＧ（ＣＧ２）とＵ−ｃｅｌｌのみで構成されたＣＧ（ＣＧ３）
前記Ｕ−ｃｅｌｌでは、ＬＢＴ（ｌｉｓｔｅｎ  ｂｅｆｏｒｅ  ｔａｌｋ）動作に基づいて機会的なＰＤＳＣＨ伝送が行われる。したがって、前記（１）、（２）、（３）の例示において、ＣＧ２はＵ−ｃｅｌｌを多く含むので、ＣＧ１に比べて相対的にＰＤＳＣＨ伝送確率が低い。
【０２０７】
前記のようにＣＧ別にＰＤＳＣＨ伝送機会が違う場合、対応するＵＣＩ伝送頻度も違うことができる。したがって、本発明では、ＣＧ別にＵＣＩ伝送頻度が違う場合を考慮して基地局が端末に明示的なシグナリングで各ＣＧに対するＵＣＩリソース（又はＵＣＩペイロードサイズ）を指示する方案を提案する。
【０２０８】
（−ＵＬシグナリング）
（１．  各ＣＧに対するＵＬ  ＤＡＩ伝送）
本発明の具体的な実施例によって、端末がＰＵＳＣＨリソースに複数のＣＧに対するＵＣＩを、前述した提案を含むＵＣＩピギーバック方式を適用することによって、例えばＣＧ別に分離コーディングを適用するかあるいはＣＧ区分なしに全てのＵＣＩにコーディングを適用することによって送信するとき、基地局は前記各ＣＧに対するＵＣＩリソース（又はＵＣＩペイロードサイズ）を端末が計算するときに考慮しなければならないＤＬサブフレームの数として各ＣＧに対するＵＬ  ＤＡＩ値を端末に知らせる方案を提案する。前記ＣＧに対するＵＬ  ＤＡＩは前記ＰＵＳＣＨリソースの伝送を指示する制御シグナリング（例えば、ＤＣＩ）に含まれることができる。
【０２０９】
ＬＴＥのＴＤＤシステムにおけるＤＬ／ＵＬサブフレームの非対称的な構造のため、複数のＤＬサブフレームに対するＨＡＲＱ−ＡＣＫが１個のＵＬサブフレームで送信されなければならない場合が発生することもある。この場合、前記ＬＴＥシステムでは、実際ＰＤＳＣＨ伝送が行われたＤＬサブフレームの数をＨＡＲＱ−ＡＣＫペイロードサイズに反映するために、一定のＤＬサブフレーム区間内にＰＤＳＣＨが送信されたＤＬサブフレームの累積数を知らせるＤＬ  ＤＡＩとＵＬ  ＤＡＩを導入した。例えば、総Ｎ個のＰＤＳＣＨが送信されたとき、端末はＤＬ  ＤＡＩを介してｎ（＝０、１、２、．．．、Ｎ−１）番目で送信されたＰＤＳＣＨが分かり、一部のＰＤＳＣＨに対する検出に失敗しても中間に漏れたＰＤＳＣＨはＤＬ  ＤＡＩを介して、総個数はＵＬ  ＤＡＩを介して分かるので、前記検出に失敗したＰＤＳＣＨに対するＨＡＲＱ−ＡＣＫはＤＴＸで処理して総Ｎ個のＰＤＳＣＨに対するＨＡＲＱ−ＡＣＫを報告することができるようになる。
【０２１０】
ＴＤＤシステムにおいてＣＡ技法が考慮される場合、端末はＰＵＳＣＨリソースに複数のＣＣに対するＨＡＲＱ−ＡＣＫを送信することができ、ＵＬ  ＤＡＩが指示するＤＬサブフレームの数は全てのＣＣに対して同様に適用される。仮に、ＣＣ１では実際ＰＤＳＣＨが送信されたＤＬサブフレームの数が３個であり、ＣＣ２では１個である場合、ＵＬ  ＤＡＩ値は２個のＣＣに対する最大ＤＬサブフーレムの数である３を指示するように送信することができる。すると、端末はＣＣ１とＣＣ２に対して総３個のＤＬサブフレームが送信されたと仮定してＨＡＲＱ−ＡＣＫを構成する。この場合、ＣＣ２に対するＨＡＲＱ−ＡＣＫは１個のＤＬサブフレームを除き、全てＤＴＸに報告される。前記のように複数のＣＣに対して一括的なＵＬ  ＤＡＩ値が適用される場合、実際ＰＤＳＣＨ伝送が実行されたＤＬサブフレームの数が少ないＣＣに対するＨＡＲＱ−ＡＣＫは主にＤＴＸとして報告されるため、非効率的なＵＣＩリソース割当てとなることができる。
【０２１１】
既存ＬＴＥ  Ｒｅｌ−１２システムでは、ＣＡ技法によって支援されるＣＣの数が最大５個の場合のみ考慮されるため、前記のように全てのＣＣに対してＵＬ  ＤＡＩを一括的に適用するときの非効率性が看過されたが、ＬＴＥ  Ｒｅｌ−１３では、大規模ＣＡ技法が導入される場合、最大３２個のＣＣが考慮されることによってこのような問題点が指摘されることができる。すなわち、５個のＣＣ間のＰＤＳＣＨ伝送が実行されたＤＬサブフレームの数の偏差より３２個のＣＣ間のＰＤＳＣＨ伝送が実行されたＤＬサブフレームの数の偏差がよりひどくなることができる。前記問題を解決するために、本発明では、端末にＣＧ単位でＵＬ  ＤＡＩを知らせ、ＣＧ単位でＵＬ  ＤＡＩを独立的に設定する方案を提案する。一例として、前記の例示で、基地局はＣＣ１に対するＤＡＩを３個のＤＬサブフレームに対応する値に、ＣＣ２に対するＤＡＩを１個のＤＬサブフレームに対応する値に設定することにより、ＣＣ２に対するＨＡＲＱ−ＡＣＫ伝送を端末が省略するように指示することができる。
【０２１２】
一例として、前記ＣＧ構成例示で、ＣＧ１でのＰＤＳＣＨ伝送が４個のＤＬサブフレームで実行され、ＣＧ２でのＰＤＳＣＨ伝送が１個のＤＬサブフレームで実行される場合、前記各ＣＧに対するＵＬ  ＤＡＩ伝送方式によって、基地局が端末にＤＣＩを介してＣＧ１に対するＵＬ  ＤＡＩとして４個のＤＬサブフレームを指示し、ＣＧ２に対するＵＬ  ＤＡＩとして１個のＤＬサブフレームを指示するように知らせることができる。
【０２１３】
図２０は一例としてＤＣＩフォーマット０で前記各ＣＧに対するＵＬ  ＤＡＩを最大２個のＣＧ（例えば、ＣＧ１、ＣＧ２）に対して支援する構造を示す。
【０２１４】
ここで、ＣＩＦ（Ｃａｒｒｉｅｒ  ｉｎｄｉｃａｔｏｒ  ｆｉｅｌｄ）は搬送波指示子フィールド、０／１ＡはＤＣＩフォーマット０／１Ａを区分するフィールド、ＦＨ＋Ｃｏｎｔｉｇｕｏｕｓ  ＲＡは周波数ホッピング又は非ホッピングとともに連続的なリソース割当てを表現するフィールド、マルチクラスター（ｍｕｌｔｉ−ｃｌｕｓｔｅｒｅｄ）ＲＡはマルチクラスターに基づくリソース割当てを表現するフィールド、ＭＣＳ／ＲＶはＭＣＳ（ｍｏｄｕｌａｔｉｏｎ  ａｎｄ  ｃｏｄｉｎｇ  ｓｃｈｅｍｅ）とＲＶ（ｒｅｄｕｎｄａｎｃｙ  ｖｅｒｓｉｏｎ）の組合せを示すフィールド、ＮＤＩ（ｎｅｗ  ｄａｔａ  ｉｎｄｉｃａｔｏｒ）は新しいデータが伝送されたかを示すフィールド、ＤＭ−ＲＳＣＳはＤＭ−ＲＳのサイクリックシフト（ｃｙｃｌｉｃ  ｓｈｉｆｔ）を示すフィールド、ＣＱＩ  ｒｅｑ．は非周期的ＣＳＩ報告の実行内容を指示するフィールド、ＳＲＳはＳＲＳ（ｓｏｕｎｄｉｎｇ  ｒｅｆｅｒｅｎｃｅ  ｓｉｇｎａｌ）が伝送されたかを指示するフィールド、そしてＲＡＴはリソース割当てタイプ（すなわち、連続的なＲＡ又はマルチクラスターＲＡ）を意味するフィールドである。前記例示のように、ＣＧ別にＵＬ  ＤＡＩを送信する場合、一方案として、複数のＣＧに対する多重ＵＬ  ＤＡＩを送信することができる。
【０２１５】
前記各ＣＧに対するＵＬ  ＤＡＩ伝送方式の追加的な動作として、基地局がＤＣＩなどの動的シグナリングによって単一ビットフィールドを端末に送信し、前記ビットフィールドを介して複数のＣＧでＵＣＩピギーバックのために適用されるＵＬ  ＤＡＩ値（又はＤＬサブフレームの数）を指示することができる。すなわち、前記ビットフィールドの一状態は複数のＣＧに対するＵＬ  ＤＡＩ値（又はＤＬサブフレームの数）の組合せを指示することができる。仮に、２ビットのビットフィールドを仮定すれば、下記の表８の通りに各状態を定義することができる。
【０２１６】
【表８】
0006454786.tif 000036
【０２１７】
２．  各ＣＧに対するＵＣＩピギーバックオン／オフ指示子伝送
本発明の具体的な実施例によって、端末がＰＵＳＣＨリソースに複数のＣＧに対するＵＣＩを前述した提案を含むＵＣＩピギーバック方式を適用することによって、例えばＣＧ別に個別コーディングを適用するかあるいはＣＧ区分なしに全てのＵＣＩにコーディングを適用することによって送信するとき、前記端末のＵＣＩリソース（又はＵＣＩペイロードサイズ）計算過程で考慮しなければならないＣＧについての情報として、特定のＵＣＩに対して各ＣＧに対するＵＣＩピギーバックが実行されるかを指示するオン／オフ指示子を基地局が送信する方案を提案する。前記各ＣＧに対するＵＣＩピギーバックオン／オフ指示子は前記ＰＵＳＣＨリソース伝送を指示する制御シグナリング（例えば、ＤＣＩ）に含まれることができる。
【０２１８】
一例として、前記基地局の明示的なシグナリングに基づくＵＣＩリソース適応方式のＣＧ構成例示で、ＣＧ１ではＰＤＳＣＨ伝送が存在するがＣＧ２ではＰＤＳＣＨ伝送が存在しない場合、前記各ＣＧに対するＵＣＩピギーバックオン／オフ指示子伝送方式によって、基地局は端末にＵＣＩピギーバックオン／オフ指示子を介して、ＣＧ１に対するＵＣＩをＰＵＳＣＨリソースにピギーバックするように指示し（すなわち、“ｏｎ”）、ＣＧ２に対するＵＣＩをＰＵＳＣＨリソースにピギーバックしないように（すなわち、“ｏｆｆ”）指示することができる。
【０２１９】
ＦＤＤシステムで大規模ＣＡ技法が適用された場合にＰＵＳＣＨリソースにＵＣＩピギーバックを実行するとき、既存ＬＴＥシステム（例えば、Ｒｅｌ−１０／１１／１２）のように基地局が端末に設定した全てのＣＣに対するＵＣＩを考慮すれば、ＵＣＩシグナリングオーバーヘッドが著しく増加することができる。よって、ＦＤＤシステムの場合、基地局がＵＣＩシグナリングオーバーヘッドを減らすために、前記提案方式のように各ＣＧに対するＵＣＩピギーバックオン／オフ指示子を介して特定のＣＧ（例えば、前記基地局の明示的なシグナリングに基づくＵＣＩリソース適応方式の構成例示におけるＣＧ２）に対するＵＣＩ伝送を省略するように指示する動作が有用になることができる。
【０２２０】
ＴＤＤシステムで大規模ＣＡ技法が適用された場合、前記各ＣＧに対するＵＬ  ＤＡＩ伝送方式のように基地局が端末に各ＣＧに対するＵＬ  ＤＡＩを知らせれば、端末は各ＣＧに対するＰＤＳＣＨ伝送が実行された最大ＤＬサブフレームの数に対応してＵＣＩペイロードサイズ（又はＵＣＩリソース）をより効率的に設定することができる。しかし、前記方式はＰＵＳＣＨリソース伝送を指示するＤＣＩ内の複数のＣＧに対するＵＬ  ＤＡＩを必要とするため、ＤＬ制御シグナリングの負荷を増加させることができる。よって、本発明は、より簡単な方案として、各ＣＧに対して特定のＵＣＩに対するＵＣＩピギーバックが実行されるかを知らせるオン／オフ指示子を送信する方案を提案する。仮に、ＨＡＲＱ−ＡＣＫの場合、ＰＵＳＣＨリソースを指示するＤＣＩでＣＧ１に対するＵＣＩピギーバックオン／オフ指示子が“ｏｆｆ”状態を指示すれば、端末は該当ＣＧ１に対するＵＣＩ伝送を省略し、該当ＵＣＩリソースをデータで満たすことができる。
【０２２１】
この場合、ＴＤＤシステムのための既存ＵＬ  ＤＡＩフィールドは前記各ＣＧに対するＵＣＩピギーバックオン／オフ指示子と一緒に送信されることができ、前記ＵＬ  ＤＡＩは前記各ＣＧに対するＵＣＩピギーバックオン／オフ指示子が“ｏｎ”状態を指示したＣＧに対してだけ有効に適用されることができる。図２１はＤＣＩフォーマット０で前記各ＣＧに対するＵＣＩピギーバックオン／オフ指示子を最大２個のＣＧ（例えば、ＣＧ１、ＣＧ２）に対して支援する構造を示す。また、他の方法として、ＴＤＤの場合、ＵＬ  ＤＡＩフィールド構成及びシグナリングを省略した状態でＵＣＩピギーバックオン／オフ指示子のみ送信されるように設定されることができる。若しくは、特定のＣＧに対してはＵＬ  ＤＡＩが送信され、他のＣＧに対してはＵＣＩピギーバックオン／オフ指示子が送信されることができる。
【０２２２】
（３．  ＵＬ  ＤＡＩに対応するＤＬサブフレームの数をＣＧ別に独立的に設定する方案）
本発明の具体的な実施例によって、端末がＰＵＳＣＨリソースに複数のＣＧに対するＵＣＩを、前記各ＣＧに対する個別コーディング／リソースマッピング方式を含むＵＣＩピギーバック方式を適用することによって、例えばＣＧ別に個別コーディングを適用するかあるいはＣＧ間の区分なしに全てのＵＣＩに対するコーディングを適用することによって送信するとき、前記端末に基地局が上位階層信号を介して特定のＵＬ  ＤＡＩが適用されるＣＧグループについての情報と前記ＵＬ  ＤＡＩ値に対応するＤＬサブフレームの数をＣＧ別に独立的に設定して知らせ、端末は基地局から前記ＵＬ  ＤＡＩを受けた後、前記ＵＬ  ＤＡＩが適用されるＣＧグループに対して各ＣＧ別にＵＬ  ＤＡＩ値が指示するＵＣＩ伝送のために考慮しなければならないＤＬサブフレームの数を独立的に解釈して適用する方案を提案する。すなわち、端末がＵＬ  ＤＡＩをＣＧ別に違って解釈するように、特定のＣＧに対してはＵＬ  ＤＡＩの解釈をそのまま維持し、他の特定のＣＧに対してはＵＬ  ＤＡＩ値の全部又は特定の一部を違って解釈するように基地局が設定することができる。
【０２２３】
前記各ＣＧに対するＵＬ  ＤＡＩ伝送方式によって、各ＣＧに対するＵＬ  ＤＡＩ値を端末に送信する方案は、各ＣＧに対するＵＣＩ伝送時に考慮しなければならないＤＬサブフレームの数を知らせることによってＰＵＳＣＨリソース内でＵＣＩリソースを効率的に割り当てる利点がある。しかし、前記各ＣＧに対するＵＬ  ＤＡＩ伝送方案は図２０のように多重ＤＡＩの構造が必要であり、これによって制御シグナリングオーバーヘッドが増加する欠点も存在する。
【０２２４】
一方、本発明が適用される大規模ＣＡ技法では、一部のＣＣはＰＤＳＣＨ伝送が安定的な兔許帯域で構成され、残りのＣＣはＰＤＳＣＨ伝送が機会的に発生する非兔許帯域で構成されることができる。この場合、ＴＤＤシステムを考慮すれば、非兔許帯域で構成されたＣＣは相対的にＰＤＳＣＨ伝送が発生するＤＬサブフレームの数が兔許帯域で構成されたＣＣより小さいこともある。
【０２２５】
前記のような観点で、前記基地局の明示的なシグナリングに基づくＵＣＩリソース適応方式のＣＧ構成例示によって、ＣＧ１が主に兔許帯域のＣＣで構成され、ＣＣ２が主に非兔許帯域のＣＣで構成される場合、ＣＧ２でＰＤＳＣＨが送信可能なＤＬサブフレームの数の範囲がＣＧ１での範囲より小さいこともあり、よってＵＬ  ＤＡＩが意味するＤＬサブフレームを該当ＣＧ別に違って解釈することが好ましい。一例として、Ｒｅｌ−１２ＬＴＥシステムのＣＡ技法が適用された状況で、ＴＤＤ  ＵＬ／ＤＬ設定｛１、２、３、４、６｝であり、ＰＵＳＣＨでＨＡＲＱ−ＡＣＫがピギーバックされる場合、端末は下記の記参照１のようにＵＬ  ＤＡＩ
【０２２６】
【化２４】
0006454786.tif 000037
【０２２７】
をＤＬサブフレームの数
【０２２８】
【化２５】
0006454786.tif 000038
【０２２９】
に対応させることができる。
【０２３０】
［参照１］
【０２３１】
【化２６】
0006454786.tif 000039
【０２３２】
前記本発明の動作を適用する一例示として、（１個のＵＬサブフレームに共通してＡＣＫ／ＮＡＣＫフィードバックタイミングが対応する複数のＤＬサブフレームの数をＭと定義すれば）基地局が端末にＲＲＣなどの上位階層信号を介してＣＧ別にＰＤＳＣＨがスケジュールされるＤＬサブフレームの数の最大値をＮＤＬ、ｍａｘ、ｃ（＜Ｍ）個に設定し、端末は前記ＮＤＬ、ｍａｘ、ｃ個で指示された最大ＤＬサブフレームの数を適用して下記の式５のようにＰＤＳＣＨがスケジュールされたＤＬサブフレームの数を計算することができる。
【０２３３】
【数５】
0006454786.tif 000040
【０２３４】
兔許帯域ＣＣに基づくＣＧ１に対しては、前記参照１で提示したＵＬ  ＤＡＩとＤＬサブフレーム間の対応関係を適用し、非兔許帯域ＣＣに基づくＣＧ２に対しては、式５のようにＣＧ２でＰＤＳＣＨがスケジュールされるＤＬサブフレームの数を最大ＮＤＬ、ｍａｘ、ｃ個に制限するＵＬ  ＤＡＩとＤＬサブフレーム間の対応関係を適用することができる。
【０２３５】
また、ＴＤＤ  ＵＬ／ＤＬ設定５においてＰＵＳＣＨでＨＡＲＱ−ＡＣＫがピギーバックされる場合、端末は下記の参照２のようにＵＬ  ＤＡＩ
【０２３６】
【化２７】
0006454786.tif 000041
【０２３７】
をＤＬサブフレームの数
【０２３８】
【化２８】
0006454786.tif 000042
【０２３９】
に対応させることができる。
【０２４０】
［参照２］
【０２４１】
【化２９】
0006454786.tif 000043
【０２４２】
前記参照２で、１個のＵＬ  ＤＡＩ値は検出されたＰＤＳＣＨの数（例えば、Ｕ）と関連した複数のＤＬサブフレームを意味することができる。これは、連続的に４個以上のＰＤＳＣＨを検出するのに失敗する確率が非常に低いと仮定したからである。しかし、非兔許帯域ＣＣではＰＤＳＣＨ検出失敗の確率がより高くなることができ、よって端末が信頼できるように区分することができるＤＬサブフレームグループが前記参照１で提示した値と違うこともある。仮に、非兔許帯域ＣＣでも５個のＰＤＳＣＨの検出することを連続して失敗する確率が低いと仮定すれば、下記の式６のようにＵＬ  ＤＡＩとＤＬサブフレーム間の対応関係を設定することができる。
【０２４３】
【数６】
0006454786.tif 000044
【０２４４】
さらに、基地局はＵＬ  ＤＡＩ値に対応するＤＬサブフレームの数に対する基準（ｒｅｆｅｒｅｎｃｅ）設定を前もって決めておき、前記ＰＵＳＣＨリソースを指示するＤＣＩにビットフィールドを追加して、特定のＵＬ  ＤＡＩが前記基準設定に従うかあるいは前記本発明の動作によるＣＧ別に独立的な設定に従うかを指示することができる。例えば、ＤＣＩに１ビットを追加して、ＵＬ  ＤＡＩが前記参照１の対応関係によるＤＬサブフレームの数を全てのＣＧに対して適用するかあるいは前記表８の対応関係によるＤＬサブフレームの数をＣＧ別に独立的に適用するかを知らせることができる。
【０２４５】
前記本発明の動作はＤＬ  ＤＡＩに対しても拡張して適用されることができる。すなわち、基地局は、端末に対し、各ＣＧ別にＤＬ  ＤＡＩが指示するＤＬサブフレームの数又はＤＬ  ＤＡＩの解釈を独立的に設定することができる。
【０２４６】
本発明の具体的な実施例によって、端末がＰＵＳＣＨリソースに複数のＣＧに対するＵＣＩを、前記各ＣＧに対する個別ＵＣＩコーディング／リソースマッピング方式を含むＵＣＩピギーバック方式を提供することによって、例えばＣＧ別に個別コーディングを適用するかあるいはＣＧ間の区分なしに全てのＵＣＩにコーディングを適用することによって送信するとき、前記端末に基地局が上位階層信号を介してＣＧ別にＵＬ  ＤＡＩ値（又はＵＬ  ＤＡＩ値が指示するＤＬサブフレームの数）に対するオフセット値を設定し、前記ＣＧ別にＵＬ  ＤＡＩオフセット値を前記ＰＵＳＣＨリソースのＵＣＩピギーバック過程で適用するかを指示する指示子を動的シグナリングで知らせる方案を提案する。
【０２４７】
前記ＵＬ  ＤＡＩに対応するＤＬサブフレームの数をＣＧ別に独立的に設定する方案の変形動作として、各ＣＧに対するＵＬ  ＤＡＩオフセット値を前もって設定してＣＧのＵＬ  ＤＡＩ値の解釈を区分し、基地局が前記ＵＬ  ＤＡＩオフセットを適用するかを示す動的シグナリングを送信することによってより柔軟にＵＣＩペイロードサイズを調整することができる。
【０２４８】
（−ＤＬシグナリング）
（１．  各ＣＧに対する全てのＣＣを考慮した（ａｃｒｏｓｓ  ＣＣｓ）ＤＬ／ＵＬ  ＤＡＩ（以下、“各ＣＧに対するＤＬ／ＵＬ  ＤＡＩ  ａｃｒｏｓｓ  ＣＣｓ”という）伝送）
本発明の具体的な実施例によって、端末がＰＵＳＣＨリソースに複数のＣＧに対するＵＣＩを、前記各ＣＧに対する個別ＵＣＩコーディング／リソースマッピング方式を含むＵＣＩピギーバック方式を適用することによって、例えばＣＧ別に個別コーディングを適用するかあるいはＣＧ間の区分なしに全てのＵＣＩにコーディングを適用することによって送信するとき、前記ＣＧ内で送信される特定のＰＤＳＣＨの伝送を指示するＤＬ制御シグナリング（例えば、ＤＣＩ）によって該当ＰＤＳＣＨ伝送時点までの前記ＣＧ内の全てのＰＤＳＣＨ伝送の累積数を意味するＤＬ  ＤＡＩを端末に知らせる方案を提案する。前記ＤＬ  ＤＡＩは、前記ＣＧ内の全てのＣＣとＴＤＤシステムで設定された全てのＤＬサブフレーム区間の間に送信された全てのＰＤＳＣＨの数を累積した値を意味する。同様に、基地局はＰＵＳＣＨの伝送を指示するＤＣＩを介して、全てのＣＧに対して端末が共通して仮定するＰＤＳＣＨの累積数（全てのＣＣと前記設定された全てのＤＬサブフレーム区間を仮定）を意味するＵＬ  ＤＡＩを端末に知らせることができる。この場合、前記ＣＧ内のＤＬ  ＤＡＩが指示するＰＤＳＣＨ伝送間の順序は時間優先（Ｔｉｍｅ−ｆｉｒｓｔ）の方式で付与されることができる。ここで、前記ＣＧ内の全てのＣＣとＴＤＤシステムで設定された全てのＤＬサブフレーム区間の間に送信された全てのＰＤＳＣＨの数は各ＣＣ別にＰＤＳＣＨが送信されたＤＬサブフレームの数を合算して計算することができる。この方式による動作は既存ＤＡＩの概念を確張して、既存のシグナリングを再使用する利点がある。
【０２４９】
しかし、本発明の実施例によるＬＴＥシステムでは、ＦＤＤシステムの場合にＤＣＩに別のＵＬ／ＤＬ  ＤＡＩフィールドがなく、ＴＤＤシステムにおいてもＵＬ−ＤＬ設定＃０の場合にはＤＣＩフォーマット０のＤＡＩフィールドがＵＬ  ＤＡＩ用途ではない多重ＵＬサブフレームスケジューリングのためのＵＬインデックスを指示するための用途で使われる。したがって、好ましくは前記ＣＧ内の設定されたＤＬサブフレーム区間及びＣＣに対してＰＤＳＣＨ伝送をカウント（ｃｏｕｎｔ）するＤＬ／ＵＬ  ＤＡＩは下記の２個の方案の１個として提供されることができる。
【０２５０】
（ｉ）ＤＣＩ内の追加的なビットフィールドを導入
（ｉｉ）（ＴＤＤ  ＵＬ−ＤＬ設定＃０の場合）ＵＬインデックスの各状態によるＵＬ  ＤＡＩ値を前もって設定
この場合、（ｉ）の方案によってＤＣＩ内のビットフィールドが加えられた場合、前記加えられたビットフィールドを含むＤＣＩはＵＳＳ（ＵＥ−ｓｐｅｃｉｆｉｃ  ｓｅａｒｃｈ  ｓｐａｃｅ）で送信されるときにだけ定義されなければならない。これは、ＣＳＳ（ｃｏｍｍｏｎ  ｓｅａｒｃｈ  ｓｐａｃｅ）ではレガシー（ｌｅｇａｃｙ）動作を行う端末との共存及びフォールバック（ｆａｌｌｂａｃｋ）動作を考慮するとき、ＣＳＳ内ではＤＣＩフォーマット０に追加的なビットフィールドを導入することが好ましくないからである。
【０２５１】
前記各ＣＧに対するＤＬ／ＵＬ  ＤＡＩ  ａｃｒｏｓｓ  ＣＣｓは、特定のＣＧに対してのみシグナリングを行い、残りのＣＧに対してはシグナリングを行わないことができる。例えば、Ｌ−ｃｅｌｌのみで構成されたＣＧに対しては前記ＤＬ／ＵＬ  ＤＡＩ  ａｃｒｏｓｓ  ＣＣｓをシグナリングしなく、Ｕ−ｃｅｌｌを含むＣＧに対しては前記ＤＬ／ＵＬ  ＤＡＩ  ａｃｒｏｓｓ  ＣＣｓをシグナリングすることができる。
【０２５２】
（２．  多重ＣＣ／多重サブフレームスケジューリング時のＤＬ  ＤＡＩシグナリング及び端末の解釈方案）
（２．１．  単一／多重ＰＤＳＣＨスケジューリングによる個別ＤＬ  ＤＡＩ設定及び解釈）
本発明の具体的な実施例によって、基地局が特定のＰＤＳＣＨの伝送を指示するＤＣＩに該当ＰＤＳＣＨ伝送まで累積されたＰＤＳＣＨ伝送数を示すＤＬ  ＤＡＩを端末に知らせ、かつ単一ＰＤＳＣＨスケジューリングを指示するＤＣＩをＤＣＩタイプ（ｔｙｐｅ）１と、多重ＰＤＳＣＨスケジューリングを指示するＤＣＩをＤＣＩタイプ２というとき、端末が前記ＤＬ  ＤＡＩが示す値に対する解釈を各ＤＣＩタイプ内で独立的に解釈するように設定する方案を提案する。すなわち、ＤＣＩタイプ１内のＤＬ  ＤＡＩはＤＣＩタイプ１によって指示されたＰＤＳＣＨの累積伝送数を、ＤＣＩタイプ２内のＤＬ  ＤＡＩはＤＣＩタイプ２によって指示されたＰＤＳＣＨの累積伝送数（又はＤＬスケジューリングの数）を意味する。この場合、端末はＤＣＩの長さ又はＤＣＩのＣＲＣビットにスクランブリングされたＲＮＴＩ（ｒａｄｉｏ  ｎｅｔｗｏｒｋ  ｔｅｍｐｏｒａｒｙ  ｉｄｅｎｔｉｆｉｅｒ）値で前記ＤＣＩタイプを区分することができる。
【０２５３】
本発明の実施例によるＬＴＥ  Ｒｅｌ−８システムでは、下記の参照３のように２ビットのビットフィールドを有するＤＬ  ＤＡＩによってＰＤＳＣＨが送信されたサブフレームの数に対する複数の場合を表現している。例えば、ＤＬ  ＤＡＩの‘００’状態は１個又は５個又は９個のＰＤＳＣＨが累積されて送信されたことを知らせることができる。前記のように、一つの状態で複数のＰＤＳＣＨ累積伝送回数を示した理由は、端末が連続した複数（例えば、４個）のＰＤＣＣＨ（又はＤＣＩ）伝送を検出することができない確率が非常に低いと期待されるからである。
【０２５４】
［参照３］
【０２５５】
【表９】
0006454786.tif 000045
【０２５６】
まず、本発明の各ＣＧに対するＤＬ／ＵＬ  ＤＡＩ  ａｃｒｏｃｃ  ＣＣｓによって、ＤＬ／ＵＬ  ＤＡＩがＣＣドメインでの累積ＰＤＳＣＨ伝送数を示し、特定のＤＬサブフレームでＤＣＩ  Ａは４個のＣＣ（例えば、ＣＣ１、ＣＣ２、ＣＣ３、ＣＣ４）に対する多重ＣＣスケジューリングを指示し、ＤＣＩ  Ｂは１個のＣＣ（例えば、ＣＣ５）に対する単一ＣＣスケジューリングを指示する状況を仮定する。
【０２５７】
この場合、基地局は前記ＤＬサブフレームに対するＡＣＫ／ＮＡＣＫリソースを送信するＵＬサブフレームに対し、ＰＵＳＣＨリソースをＵＬ承認を指示するＤＣＩによって割り当て、前記ＤＣＩ内のＵＬ  ＤＡＩ値によって５個のＰＤＳＣＨに対するＡＣＫ／ＮＡＣＫ伝送を指示することができる。また、基地局がまずＤＣＩ  Ａ内のＤＬ  ＤＡＩ値を‘１１’に設定して４個の累積ＰＤＳＣＨが送信されることを知らせ、ＤＣＩ  Ｂ内のＤＬ  ＤＡＩ値を‘００’に設定して５個の累積ＰＤＳＣＨが送信されることを知らせると仮定する。
【０２５８】
この場合、端末がＤＣＩ  Ａに対する検出は失敗するがＤＣＩ  Ｂに対する検出に成功する場合、ＤＣＩ  Ｂ内のＤＬ  ＤＡＩ値‘００’が既存設計と同様に１個、５個又は９個の累積ＰＤＳＣＨ伝送を意味すれば、端末は５個のＰＤＳＣＨのうち１番目ＰＤＳＣＨに対する検出に成功したかそれとも５番目ＰＤＳＣＨに対する検出に成功したかを判断しにくい。端末が判断しにくい理由は、単一ＰＤＳＣＨスケジューリングの場合に‘００’を５個の累積ＰＤＳＣＨとして判断するためには連続して４個のＤＣＩ検出に失敗しなければならなく、前記場合が発生する確率が非常に低いからである。しかし、多重ＣＣスケジューリングなどの多重ＰＤＳＣＨスケジューリングが考慮される場合、前記例示のように端末が１個のＤＣＩに対する検出に失敗しても判断しにくい状況が発生することもある。
【０２５９】
したがって、本発明では、端末がＤＬ  ＤＡＩが単一ＰＤＳＣＨスケジューリングを指示する場合（又はＤＣＩが単一ＰＤＳＣＨスケジューリングを指示する場合）とＤＬ  ＤＡＩが多重ＰＤＳＣＨスケジューリングを指示する場合（又はＤＣＩが多重ＰＤＳＣＨスケジューリングを指示する場合）に区分して解釈する方案を提案する。一例として、単一ＰＤＳＣＨスケジューリングを指示するＤＣＩ内のＤＬ  ＤＡＩが指示する累積ＰＤＳＣＨ伝送数は多重ＰＤＳＣＨスケジューリングを指示するＤＣＩに対応するＰＤＳＣＨを含まない。同様に、多重ＰＤＳＣＨスケジューリングを指示するＤＣＩ内のＤＬ  ＤＡＩが指示する累積ＰＤＳＣＨ伝送数（又はＤＬスケジューリングの数）は単一ＰＤＳＣＨスケジューリングを指示するＤＣＩに対応するＰＤＳＣＨを含まない。
【０２６０】
（２．２．  多重ＰＤＳＣＨスケジューリングに対するＤＬ／ＵＬ  ＤＡＩ適用方案）
本発明の具体的な実施例によって、基地局が１個のＤＣＩによってＤＬスケジューリング可能なＰＤＳＣＨ数又は最大ＰＤＳＣＨ数を半静的に設定して端末に知らせ、また基地局が特定のＰＤＳＣＨ伝送を指示するＤＣＩに該当ＤＣＩ伝送時点までのＤＬスケジューリング累積数（又はＤＣＩ累積数）を意味するＤＬ  ＤＡＩを端末に知らせる方案を提案する。この場合、前記累積数は基地局と端末の間に前もって約束された特定のＣＣグループでかつ特定のＤＬサブフレーム区間の間にカウント（ｃｏｕｎｔ）されることができる。同様に、基地局は、ＰＵＳＣＨの伝送を指示するＤＣＩで端末がＨＡＲＱ−ＡＣＫリソースフィードバックのために仮定するＤＬスケジューリング累積数（又はＤＣＩ累積数又はＰＤＳＣＨ累積数）を意味するＵＬ  ＤＡＩを端末に知らせることができる。この場合、前記累積数は基地局と端末の間に前もって約束された特定のＣＣグループでかつ特定のＤＬサブフレーム区間の間にカウントされることができる。一方、端末はＵＬ  ＤＡＩの値によって指示されるＤＬスケジューリングの数と各ＤＬスケジューリングで送信カノプな最大ＰＤＳＣＨ数によって全てのＨＡＲＱ−ＡＣＫペイロードを計算することができる。一例として、前記全てのＨＡＲＱ−ＡＣＫペイロードサイズはＵＬ  ＤＡＩが指示するＤＬスケジューリングの累積数とＤＬスケジューリングが指示することができる最大ＰＤＳＣＨ数の積に比例することができる。この場合、ＤＬスケジューリングは基地局が下りリンク制御シグナリング（例えば、ＤＣＩなど）によってＰＤＳＣＨ伝送を指示する動作を意味する。
【０２６１】
多重ＰＤＳＣＨスケジューリングの場合にも、該当ＤＣＩが送信されるＤＬサブフレームの位置を前もって設定し、また前記多重ＰＤＳＣＨスケジューリングが支援するＰＤＳＣＨ数を半静的に設定するようにすれば、ＤＬ  ＤＡＩとＵＬ  ＤＡＩを有効に適用することができる。１例示として、多重ＰＤＳＣＨスケジューリングに対するＤＣＩが送信されるＤＬサブフレームに対し、端末が該当ＤＣＩがスケジュールするＰＤＳＣＨに対するＨＡＲＱ−ＡＣＫを特定の単一ＵＬサブフレームで基地局にフィードバックすると仮定する。また、基地局が多重ＰＤＳＣＨスケジューリングによって支援されるＰＤＳＣＨ数をＭ個に設定すると仮定する。
【０２６２】
すると、基地局は複数のＰＤＳＣＨ伝送指示するＤＣＩで該当ＤＣＩ伝送まで累積された（多重ＰＤＳＣＨに対する）ＤＬスケジューリング数（又は複数のＰＤＳＣＨ伝送を指示したＤＣＩ数）を意味するＤＬ  ＤＡＩを端末に知らせるか、あるいは基地局はＰＵＳＣＨの伝送を指示するＤＣＩで（多重ＰＤＳＣＨに対する）端末が仮定するＤＬスケジューリング累積数又はＰＤＳＣＨ累積数又は複数のＰＤＳＣＨを指示したＤＣＩ累積数を意味するＵＬ  ＤＡＩを端末に知らせることができる。すると、端末は、ＵＬ  ＤＡＩが指示したＤＣＩ累積数と多重ＰＤＳＣＨスケジューリングのＰＤＳＣＨ数（例えば、Ｍ）によって全てのＨＡＲＱ−ＡＣＫペイロードサイズを計算することができ、ＤＬ  ＤＡＩを介して何番目ＤＬスケジューリングが漏れたかを確認し、仮に漏れたＤＬスケジューリングを見つけた場合には該当Ｍ個のＰＤＳＣＨに対してはＮＡＣＫを報告することができる。
【０２６３】
すなわち、既存のＤＬ  ＤＡＩとＵＬ  ＤＡＩが動作する方式から各ＤＬスケジューリングに対するＡＣＫ／ＮＡＣＫペイロードサイズのみ増加する形態で動作することができる。
【０２６４】
（２．３．  単一／多重ＰＤＳＣＨスケジューリングによる個別コーディング及び個別ＵＣＩリソース割当て方案）
本発明の具体的な実施例によって、端末がＰＵＳＣＨリソースにＵＣＩをピギーバックして送信するとき、単一ＰＤＳＣＨスケジューリングに対するＨＡＲＱ−ＡＣＫ情報と多重ＰＤＳＣＨスケジューリングに対するＨＡＲＱ−ＡＣＫ情報を区分してチャネルコーディングを適用し、前記区分された２グループのコーディングされたシンボル（すなわち、単一ＰＤＳＣＨスケジューリングに対するコーディングされたシンボルと多重ＰＤＳＣＨスケジューリングに対するコーディングされたシンボル）を互いに区分されるＵＣＩリソースに割り当てる方案を提案する。
【０２６５】
まず、多重ＰＤＳＣＨスケジューリングに対するＨＡＲＱ−ＡＣＫを単一ＰＤＳＣＨスケジューリングに対するＨＡＲＱ−ＡＣＫ伝送過程から除けば、単一ＰＤＳＣＨスケジューリングに対するＨＡＲＱ−ＡＣＫ伝送過程は追加的に単一／多重ＰＤＳＣＨスケジューリングを決定することを除き、既存ＬＴＥシステムの方法を適用する利点がある。
【０２６６】
この場合、多重ＰＤＳＣＨスケジューリングの形態が多重ＣＣスケジューリングであれば、特定のＤＬサブフレームでは単一ＣＣスケジューリングのためのＤＣＩと多重ＣＣスケジューリングのためのＤＣＩが共存することができる。また、前記ＤＬサブフレームで送信されたＰＤＳＣＨに対するＨＡＲＱ−ＡＣＫが特定の単一ＵＬサブフレームでＰＵＳＣＨリソース内にＵＣＩピギーバック過程によって送信されれば、ＵＬ  ＤＡＩは多重ＣＣスケジューリングの場合に既存とは違いＤＬスケジューリングの数として解釈されることができ、よって多重ＣＣスケジューリングに対するＨＡＲＱ−ＡＣＫは単一ＣＣスケジューリングに対するＨＡＲＱ−ＡＣＫとは区分して送信することが好ましい。
【０２６７】
この場合、単一ＰＤＳＣＨスケジューリングのためのＵＬ  ＤＡＩと多重ＰＤＳＣＨスケジューリングのためのＵＬ  ＤＡＩはそれぞれ区分されるビットフィールドを有することができる。
【０２６８】
（−ＵＣＩ  ｏｎ  ＰＵＳＣＨ  ｏｖｅｒ  ＣＧ場合のＵＣＩ適応方案）
“ＵＣＩ  ｏｎ  ＰＵＳＣＨ  ｏｖｅｒ  ＣＧ”は端末が互いに異なるＣＧに属するＣＣに対するＵＣＩを単一ＰＵＳＣＨリソースにピギーバックする動作を意味する。
【０２６９】
（−ＰＵＣＣＨ基準ＣＧに基づく個別／ジョイントＵＣＩコーディング）
本発明の具体的な実施例によって、端末が互いに異なるＣＧに属するＣＣに対するＵＣＩを単一ＰＵＳＣＨリソースにピギーバックすることができるとき（すなわち、ＵＣＩ  ｏｎ  ＰＵＳＣＨ  ｏｖｅｒ  ＣＧ動作を実行するとき）、下記のようにＰＵＣＣＨ伝送対象セルが同一に設定されたＣＣのグループ（以下、ＰＵＣＣＨ  ＣＧ（ｃｅｌｌ  ｇｒｏｕｐ））単位で個別ＵＣＩコーディング及び（コーディングされたＵＣＩシンボルに対する）個別ＲＥマッピングを適用するかあるいは複数のＰＵＣＣＨ  ＣＧに対してジョイントコーディング及び対応ＲＥマッピングを適用する方案を提案する。
【０２７０】
（１）複数のＣＧのそれぞれに対して個別ＵＣＩコーディング及び（コーディングされたＵＣＩシンボルに対する）個別ＲＥマッピング適用：ここで、前記複数のＣＧは単一ＰＵＣＣＨの状況で任意に構成された複数のＣＧ、又はデュアル（ｄｕａｌ）ＰＵＣＣＨの状況で各ＰＵＣＣＨに関連又は設定されたＣＧであってもよい。
【０２７１】
（２）複数のＣＧの全て対してジョイントＵＣＩコーディング及び対応ＲＥマッピング適用：ここで、前記複数のＣＧはデュアルＰＵＣＣＨ状況で各ＰＵＣＣＨに関連／設定されたＣＧであってもよい。
【０２７２】
前記では任意に設定可能な各ＣＧに対する個別ＵＣＩコーディング及び個別ＲＥマッピング方案を提案したが、“ＰＵＣＣＨ基準ＣＧに基づく個別／ジョイントＵＣＩコーディング”動作はＰＵＣＣＨ  ＣＧ単位の個別ＵＣＩコーディング及び個別ＲＥマッピングを提案する。この場合、端末がＰＵＳＣＨリソース内のＵＣＩピギーバックを実行するとき、前記ＰＵＣＣＨ  ＣＧに対して該当ＣＧ内のスケジューリングが存在するＣＧに対するＵＣＩをピギーバックし、該当ＣＧ内のスケジューリングが存在しないＣＧに対するＵＣＩをピギーバックしないこともできる。“ＰＵＣＣＨ基準ＣＧに基づく個別／ジョイントＵＣＩコーディング”は、ジョイントＵＣＩコーディングを適用するとき、複数のＰＵＣＣＨ  ＣＧにジョイントＵＣＩコーディングを適用することによってコーディング利得を極大化する方案を提案する。
【０２７３】
この場合、前記（１）でＰＵＣＣＨ  ＣＧ別に個別コーディングを適用する場合、コーディングされたＵＣＩシンボルに対するＲＥマッピングの順序は前記ＰＵＣＣＨ  ＣＧのインデックス順に従うことができる。若しくは、デュアルＰＵＣＣＨの場合、プライマリー（ｐｒｉｍａｒｙ）セルを含むＰＵＣＣＨ  ＣＧ（以下、ＰＣＧ）が先にＲＥマッピングを行い、プライマリーセルを含まないＰＵＣＣＨ  ＣＧ（以下、ＳＣＧ）が後でＲＥマッピングを行うことができる。ここで、プライマリーセルはＣＡ（ｃａｒｒｉｅｒ  ａｇｇｒｅｇａｔｉｏｎ）環境でＲＲＣ（ｒａｄｉｏ  ｒｅｓｏｕｒｃｅ  ｃｏｎｔｒｏｌ）連結を担当するセルを意味する。
【０２７４】
また、前記（２）で全てのＰＵＣＣＨ  ＣＧに対してジョイントコーディングを適用する場合、ＣＡ環境のようにセルインデックス（又はＣＣインデックス）によってチャネルコーダー（例えば、Ｒｅｅｄ−Ｍｕｌｌｅｒコーダー）の入力順を決定するかあるいはＰＣＧに対するＵＣＩを先に入力し、ついでＳＣＧに対するＵＣＩを後で入力することができる。この場合、各ＰＵＣＣＨ  ＣＧに入力されるＵＣＩの順序はセルインデックス（又はＣＣインデックス）に従うことができる。
【０２７５】
（−Ａ／Ｎ空間バンドリング（ｓｐａｔｉａｌ  ｂｕｎｄｌｉｎｇ））
本発明の具体的な実施例によって、端末が複数のＰＵＣＣＨ  ＣＧ（すなわち、ＰＵＣＣＨ伝送対象セルが同一に設定されたＣＣのグループ）に対するＵＣＩを単一ＰＵＳＣＨリソースにピギーバックする場合、前記全てのＰＵＣＣＨ  ＣＧ内のＣＣに対するＨＡＲＱ−ＡＣＫペイロードサイズが特定のＢビット（例えば、２０ビット）以上であるとき、各ＰＵＣＣＨ  ＣＧに対するＰＵＣＣＨセルのデュプレックシング（ｄｕｐｌｅｘ）方式とＰＵＣＣＨ伝送タイプ（例えば、ＰＵＣＣＨフォーマット３（以下、ＰＦ３）、チャネル選択（以下、ＣＨｓｅｌ））の組合せによって各ＣＧに対応するＨＡＲＱ−ＡＣＫに対する空間バンドリング（以下、Ａ／Ｎ空間バンドリング）を適用するかを決定する方案を提案する。ここで、Ａ／Ｎ空間バンドリングとは、２個以上のＴＢ（ｔｒａｎｓｐｏｒｔ  ｂｌｏｃｋ）を送信するとき、各ＴＢに対するＨＡＲＱ−ＡＣＫビット（例えば、ＡＣＫ又はＮＡＣＫを指示するビット）を求めた後、ＡＮＤ演算を適用することを意味する。例えば、｛ＡＣＫ（＝‘１’）、ＮＡＣＫ（＝‘０’）｝の場合は、空間バンドリング結果としてＮＡＣＫ（＝‘１’＆‘０’＝‘０’）が導出される。
【０２７６】
（１）オプション１：全てのＣＧのＡ／Ｎに一括的に空間バンドリング適用
（２）オプション２：ＰＵＣＣＨセルのデュプレックシング方式及びＰＵＣＣＨフォーマット組合せによって各ＣＧに対するＡ／Ｎ空間バンドリングを適用するかを決定。
【０２７７】
［例示］各ＰＵＣＣＨ  ＣＧ内に最大５個のセル（又はＣＣ）が含まれ、２個のＰＵＣＣＨセルが存在し、Ｂ＝２０ビットの場合、
【０２７８】
【表１０】
0006454786.tif 000046
【０２７９】
この場合、ＨＡＲＱ−ＡＣＫペイロードサイズが前記Ｂビットを超えるかは、全てのＰＵＣＣＨ  ＣＧにジョイントコーディングが適用される場合に全てのＰＵＣＣＨ  ＣＧに対するＨＡＲＱ−ＡＣＫペイロードサイズに基づいて判断し、ＰＵＣＣＨ  ＣＧ別に個別コーディングが適用される場合には各ＣＧに対するＨＡＲＱ−ＡＣＫペイロードサイズに基づいて判断する。
【０２８０】
代替案として、各ＣＧにＡ／Ｎ空間バンドリングを適用するかを決定する方案は次のように定義されることができる。
【０２８１】
（１）全てのＰＵＣＣＨ  ＣＧに対するＨＡＲＱ−ＡＣＫペイロードサイズがＢビットを超えれば、次の優先順位によってＨＡＲＱ−ＡＣＫペイロードサイズがＢビット未満になるまで各ＰＵＣＣＨ  ＣＧに対するＡ／Ｎ空間バンドリングを行う。
【０２８２】
Ａ．  ＰＵＣＣＨ  ＣＧ（ＴＤＤ  ＰＦ３  ＰＵＣＣＨセルを含む）＞ＰＵＣＣＨ  ＣＧ（ＴＤＤ  ＣＨｓｅｌを含む）＞ＰＵＣＣＨ  ＣＧ（ＦＤＤ  ＰＦ３  ＰＵＣＣＨセルを含む）＞ＰＵＣＣＨ  ＣＧ（ＦＤＤ  ＣＨｓｅｌを含む）
Ｂ．  ２個のＰＵＣＣＨ  ＣＧが同じＰＵＣＣＨセルのデュプレックシング方式と同じＰＵＣＣＨ伝送タイプを有すれば、ＳＣＧに対してＡ／Ｎ空間バンドリングを先に行うか、あるいはＣＧインデックスによってＡ／Ｎ空間バンドリングを行うことができる。
【０２８３】
同様に、前記場合にも、ＨＡＲＱ−ＡＣＫペイロードサイズがＢビットを超えるかは、全てのＰＵＣＣＨ  ＣＧにジョイントコーディングが適用される場合に全てのＰＵＣＣＨ  ＣＧに対するＨＡＲＱ−ＡＣＫペイロードサイズに基づいて判断し、ＰＵＣＣＨ  ＣＧ別に個別コーディングが適用される場合には各ＣＧに対するＨＡＲＱ−ＡＣＫペイロードサイズに基づいて判断する。
【０２８４】
本発明の追加的な動作として、可用ＰＵＳＣＨリソースが複数存在する場合、端末は各ピギーバック対象ＰＵＳＣＨに１個のＣＧに対応するＵＣＩのみを送信し、可用ＰＵＳＣＨリソースが１個のみ存在する場合、全てのＣＧに対応するＵＣＩをピギーバック対象の該当ＰＵＳＣＨに送信することができる。後者の場合、複数のＣＧのそれぞれに個別コーディング及び個別ＲＥマッピングが適用されることができる。一方、前者の場合は、個別コーディング及び個別ＲＥマッピングがＨＡＲＱ−ＡＣＫフィードバックにだけ適用されるか（ＣＳＩフィードバックは特定の１個のＰＵＳＣＨリソースにピギーバックされる）あるいはＨＡＲＱ−ＡＣＫフィードバック及びＲＩ／ＰＴＩフィードバックにだけ適用されることができる（残りのＣＳＩフィードバック（例えば、ＣＱＩ／ＰＭＩ）は特定の１個のＰＵＳＣＨリソースにピギーバックされる）。図２２は前記動作を例示するもので、可用ＰＵＳＣＨリソースが複数であるとき、ＵＣＩをサブセットに区分して送信する動作を示したものである。
【０２８５】
本発明の追加的な動作として、スケジュールされたＣＣの順序情報（又はカウント情報）を知らせるＣＣドメインＤＡＩが存在し、前記ＣＣドメインＤＡＩが１個のＴＢを伝送することができるように設定されたＣＣのみで構成されたＣＧ１と最大２個のＴＢを伝送することができるように設定されたＣＣのみで構成されたＣＧ２に対して各ＣＧ別に定義され（すなわち、Ｃ−ＤＡＩ１、Ｃ−ＤＡＩ２）、該当ＣＧ内で送信されるＰＤＳＣＨに対するＤＣＩでＣＣドメインＤＡＩが送信されるとき（言い換えれば、各ＣＧに対してＣＣドメインＤＡＩが独立的に適用／シグナリングされる場合）、次のような提案が適用可能である。
【０２８６】
［提案方案Ａ−１］前記ＣＣドメインＤＡＩとは別個に前記ＣＧ１及びＣＧ２に含まれる全てのＣＣに対してスケジュールされた総ＣＣ数を知らせる全ての（ｔｏｔａｌ）ＤＡＩ（以下、Ｔ−ＤＡＩ）を定義し、ＤＬスケジューリング承認（ｇｒａｎｔ）ＤＣＩを介してＴ−ＤＡＩ及び前記ＣＣドメインＤＡＩを一緒に送信する。
【０２８７】
一例として、ＣＧ１はＣＣ１、ＣＣ２、ＣＣ３、ＣＣ４、及びＣＣ５で構成され、ＣＧ２はＣＣ６、ＣＣ７、ＣＣ８、ＣＣ９、及びＣＣ１０で構成されると仮定する。基地局がＣＣ１、ＣＣ３、ＣＣ４、ＣＣ７、ＣＣ８、及びＣＣ９をスケジューリングすれば、ＣＣ１、ＣＣ３、及びＣＣ４に対するＣ−ＤＡＩ１の値はそれぞれ１、２、３を指示し、ＣＣ７、ＣＣ８、及びＣＣ９に対するＣ−ＤＡＩ２の値はそれぞれ１、２、３を指示することができる。この場合、前記ＣＧ１で送信される全てのＰＤＳＣＨに対するＤＣＩを端末が検出しなかったならば、基地局は３×１＋２×３＝９ビットのＵＣＩ（例えば、Ａ／Ｎ）ペイロードを期待するが、端末は２×３＝６ビットのＵＣＩ（例えば、Ａ／Ｎ）ペイロードを構成することによって基地局と端末間の不一致が発生することになる。よって、本発明では、前記不一致を無くすために、全てのＵＣＩ（例えば、Ａ／Ｎ）ペイロードに対する指示子として、スケジュールされた総ＣＣ数を指示するＴ−ＤＡＩを前記ＣＧ１又はＣＧ２で送信された全てのＰＤＳＣＨに対応するＤＣＩに含む方案を提案する。例えば、前記例示で、Ｔ−ＤＡＩ値は６として指示され、基地局と端末は前記Ｔ−ＤＡＩが指示する値（例えば、６）と任意のＣＣで伝送されるように設定された総ＴＢ数（例えば、２）の積に相当する値（例えば、６×２＝１２）をＵＣＩ（例えば、Ａ／Ｎ）ペイロードとしてスケジュールすることができる。
【０２８８】
［提案方案Ａ−２］基地局は端末に前もって最大ペイロードサイズがＮ１ビットである特定のＰＵＣＣＨフォーマット（又は基地局が前もって設定した最大ＵＣＩペイロード）を設定して、端末は前記提案方案Ａ−１で受信したＴ−ＤＡＩが指示する総ＣＣ数と任意のＣＣで伝送されるように設定された最大ＴＢ数（例えば、２）の積であるＮ２を計算し、ＵＣＩペイロードサイズ（例えば、Ａ／Ｎペイロードサイズ）ＮをＮ＝ｍｉｎ（Ｎ１、Ｎ２）ビットに設定する。
【０２８９】
前記本発明の提案方案Ａ−１で定義されたＴ−ＤＡＩを活用すれば、基地局と端末はＴ−ＤＡＩを活用して相互間にＵＣＩ（例えば、Ａ／Ｎ）ペイロードをスケジュールすることができる。例えば、基地局と端末は、前述したように、前記Ｔ−ＤＡＩが指示する値と最大ＴＢ数の積に相当する値（例えば、Ｎ２）をＵＣＩ（例えば、Ａ／Ｎ）ペイロードとしてスケジュールすることができる。しかし、基地局が最大ＵＣＩ（Ａ／Ｎ）ペイロードサイズがＮ１ビットであるＰＵＣＣＨフォーマットを前もって割り当てた場合、端末は前記Ｎ２がＮ１より小さい場合にはＮ２ビットとしてＵＣＩ（例えば、Ａ／Ｎ）ペイロードを構成するが、Ｎ２がＮ１より大きい場合にはＮ１ビットとしてＵＣＩ（Ａ／Ｎ）ペイロードを構成することが好ましい。すなわち、ＵＣＩペイロードはｍｉｎ（Ｎ１、Ｎ２）ビットに設定されることができる。
【０２９０】
［提案方案Ａ−３］前記提案方案Ａ−２で設定されたＮビット（あるいは別個のＴ−ＤＡＩシグナリングなしにＮ１＝Ｎビットが考慮される場合）に対し、端末はＣＧ１（１個のＴＢを有するＣＣで構成されたＣＧ）に対するＵＣＩ（例えば、Ａ／Ｎ）をＵＣＩペイロード上のＬＳＢ（又はＭＳＢ）からＣ−ＤＡＩ１のインデックス順に（すなわち、高い（又は低い）ＵＣＩビットインデックスが低いＣ−ＤＡＩ１インデックスにマッピングされるように）満たし、かつＣＧ２（２個のＴＢを有するＣＣで構成されたＣＧ）に対するＵＣＩ（例えば、Ａ／Ｎ）をＭＳＢ（又はＬＳＢ）からＣ−ＤＡＩ２のインデックス順に（すなわち、低い（又は高い）ＵＣＩビットインデックスが低いＣ−ＤＡＩ２インデックスにマッピングされるように）満たす。
【０２９１】
前記提案方案Ａ−２及びＡ−３によって、ＵＣＩペイロードを構成しても各ＣＧの最後にスケジュールされたＣＣに対するＤＣＩが漏れた場合、端末がＵＣＩペイロード内でどの手順で各ＣＣに対するＵＣＩ（例えば、Ａ／Ｎ）を満たしたかがわからない。例えば、前記提案方案Ａ−１の例示で、端末がＣＣ４とＣＣ９に対するＤＣＩ検出を失敗した状態でＣＧ１内のスケジュールされたＣＣに対するＵＣＩ（例えば、Ａ／Ｎ）をＣ−ＤＡＩ１のインデックスが低い順に満たし、ついでＣＧ２内のスケジュールされたＣＣに対するＵＣＩ（例えば、Ａ／Ｎ）をＣ−ＤＡＩ２のインデックスが低い順に満たすと仮定する。この場合、基地局は１個のＴＢに対して３個のＵＣＩ（例えば、Ａ／Ｎ）を、２個のＴＢに対して３個のＵＣＩ（例えば、Ａ／Ｎ）を期待するが、端末は１個のＴＢに対して２個のＵＣＩ（例えば、Ａ／Ｎ）、２個のＴＢに対して２個のＵＣＩ（例えば、Ａ／Ｎ）を送信することによって基地局と端末間の不一致が発生することになる。よって、本発明では、前記提案方案Ａ−２でＮビットのＵＣＩ（例えば、Ａ／Ｎ）が設定されれば、ＣＧ１（１個のＴＢを有するＣＣで構成されたＣＧ）に対するＵＣＩ（例えば、Ａ／Ｎ）をＬＳＢ（又はＭＳＢ）からＣ−ＤＡＩ１のインデックス順に満たし、ＣＧ２（２個のＴＢを有するＣＣで構成されたＣＧ）に対するＵＣＩ（例えば、Ａ／Ｎ）をＭＳＢ（又はＬＳＢ）からＣ−ＤＡＩ２のインデックス順に満たすことによって基地局と端末間の不一致を減らす方案を提案する。
【０２９２】
具体的な一例として、ＵＣＩペイロード内の各ビットをＭＳＢから並べたビット列がｂ０、ｂ１、．．．、ｂＮ−１であると仮定すれば、前記でＣ−ＤＡＩ１＝１、２、３のそれぞれに対応する１ビットＵＣＩは順次ビットｂＮ−１、ｂＮ−２、ｂＮ−３に、かつＣ−ＤＡＩ２＝１、２、３のそれぞれに対応する２ビットＵＣＩは順次ビット（ｂ０、ｂ１）、（ｂ２、ｂ３）、（ｂ４、ｂ５）に配置／マッピングされることができる。
【０２９３】
本発明の追加的な動作として、スケジュールされたＣＣの順序情報（又はカウント情報）を知らせるＣＣドメインＤＡＩが存在し、ＣＧ１とＣＧ２に対して各ＣＧに対するＣＣドメインＤＡＩが定義され（すなわち、Ｃ−ＤＡＩ１、Ｃ−ＤＡＩ２）、該当ＣＧ内で送信されるＰＤＳＣＨに対するＤＣＩで送信されるとき（言い換えれば、各ＣＧに対するＣＣドメインＤＡＩが独立的に適用／シグナリングされる場合）、次の方案を提案する。
【０２９４】
［提案方案Ｂ−１］複数のＣＧのそれぞれに対してＣＧ別にスケジュールされたＣＣの数を知らせる各ＣＧに対するカウンターＤＡＩが適用及びシグナリングされるとき、複数のＣＧ内のスケジュールされた総ＴＢ数を知らせる全てのＤＡＩを適用及びシグナリングする方案を提案する。
【０２９５】
例えば、最大１個のＴＢを伝送するように設定されたＣＣのみで構成されたＣＧ１と最大２個のＴＢを伝送するように設定されたＣＣのみで構成されたＣＧ２に対して各ＣＧ別にＣＣドメインＤＡＩが定義され（すなわち、Ｃ−ＤＡＩ１、Ｃ−ＤＡＩ２）、該当ＣＧ内で送信されるＰＤＳＣＨに対するＤＣＩで送信されるとき、ＣＧ１はＣＣ１、ＣＣ２、ＣＣ３、ＣＣ４、及びＣＣ５で構成され、ＣＧ２はＣＣ６、ＣＣ７、ＣＣ８、ＣＣ９、及びＣＣ１０で構成されると仮定する。基地局がＣＣ１、ＣＣ３、ＣＣ４、ＣＣ７、ＣＣ８、及びＣＣ９をスケジューリングすれば、ＣＣ１、ＣＣ３、及びＣＣ４に対するＣ−ＤＡＩ１の値はそれぞれ１、２、３を指示し、ＣＣ７、ＣＣ８、及びＣＣ９に対するＣ−ＤＡＩ２の値はそれぞれ１、２、３を指示することができる。次に、端末がスケジュールされたＣＣのうちＣＣ９に対するＤＣＩのみ受信しなかたと仮定する。前記本発明のＡ−１のように全てのスケジュールされたＣＣ数を指示するＴ−ＤＡＩを適用及びシグナリングする場合、Ｔ−ＤＡＩは６個のセルがスケジュールされたということを端末に知らせる。この時、前記端末は１個のセルに対するＤＣＩを逃したことは認知することができるが、４番目でスケジュールされたＣＣが存在するとともに端末がＣＧ１から４番目でスケジュールされたＣＣを逃したかあるいは端末がＣＧ２から３番目でスケジュールされたＣＣ（すなわち、ＣＣ９）を逃したかが分からないから、ペイロード計算が不明な状況が発生する。したがって、本発明では、複数のＣＧ内のスケジュールされた総ＴＢ数を知らせるＴ−ＤＡＩを適用及びシグナリングする方案を提案する。前記例示で、Ｔ−ＤＡＩが総ＴＢ数を１×３＋２×３＝９であるということを知らせれば、端末は２個のＴＢに対するスケジューリングを逃したと判断することができる。具体的な例示として、連続した４個のセルの逃し（ｍｉｓｓｉｎｇ）の確率は低いと仮定するとき、１−ＴＢ  ＣＧと２−ＴＢ  ＣＧのそれぞれにセルレベルの２ビットのカウンターＤＡＩを適用し、２個のＣＧにＴＢレベルの総３ビットＤＡＩを適用することができる。
【０２９６】
［提案方案Ｂ−２］２個のＣＧ（すなわち、ＣＧ１、ＣＧ２）に対して各ＣＧに対するスケジュールされたＣＣ数を知らせる各ＣＧに対するカウンターＤＡＩ（すなわち、Ｃ−ＤＡＩ１、Ｃ−ＤＡＩ２）が適用及びシグナリングされるとき、前記ＣＧ１内のＣＣのうちスケジュールされた総ＣＣ数（又はＴＢ数）を知らせる総ＤＡＩ１（以下、Ｔ−ＤＡＩ１）を定義してＣＧ１に対するＤＬスケジューリング承認（ｇｒａｎｔ）ＤＣＩで送信し、前記ＣＧ２内のＣＣのうちスケジュールされた総ＣＣ数（又はＴＢ数）を知らせる総ＤＡＩ２（以下、Ｔ−ＤＡＩ２）を定義してＣＧ２に対するＤＬスケジューリング承認ＤＣＩで送信し、端末がＣＧ１又はＣＧ２のみに対するスケジューリングがあると判断したときにはＰＵＣＣＨリソース１を用いて、かつＣＧ１及びＣＧ２の両方に対するスケジューリングがあると判断したときにはＰＵＣＣＨリソース２を用いてＵＣＩをフィードバックする方案を提案する。
【０２９７】
前記のように、各ＣＧ内のスケジュールされたＣＣ数をＣＧ別に総ＤＡＩで知らせる場合、特定のＣＧに対する全てのＤＣＩを逃す場合には基地局と端末が互いに異なるペイロードを計算することもある。よって、本発明では、端末が判断したスケジュールされたＣＧの組合せによってＰＵＣＣＨリソースを選択してＵＣＩフィードバックを実行することにより、基地局がブラインド検出によって特定のＣＧでのＤＣＩの逃し問題を判別することができるようにする方案を提案する。より具体的に、２個のＣＧ、つまりＣＧ１及びＣＧ２が存在するとき、３個のスケジュールされたＣＧ組合せ、つまり｛ＣＧ１｝、｛ＣＧ２｝、｛ＣＧ１、ＣＧ２｝に対して基地局が相異なるＰＵＣＣＨリソースを設定（例えば、ＰＵＣＣＨ１、ＰＵＣＣＨ２、ＰＵＣＣＨ３）し、端末はＤＣＩ検出結果によってスケジュールされたＣＧ組合せに対応するＰＵＣＣＨにＵＣＩをフィードバックすることができる。
【０２９８】
［提案方案Ｂ−３］２個のＣＧ（すなわち、ＣＧ１、ＣＧ２）に対し、各ＣＧに対するスケジュールされたＣＣ数を知らせる各ＣＧに対するカウンターＤＡＩ（すなわち、Ｃ−ＤＡＩ１、Ｃ−ＤＡＩ２）が適用及びシグナリングされるとき、前記ＣＧ１及びＣＧ２内のＣＣ（すなわち、ＣＧ１とＣＧ２の和集合内のＣＣ）のうちスケジュールされた総ＣＣ数（又はＴＢ数）を知らせる総ＤＡＩ（以下、Ｔ−ＤＡＩＡＬＬ）を定義してＣＧ１に対するＤＬスケジューリング承認ＤＣＩで送信し、前記ＣＧ２内のＣＣのうちスケジュールされた総ＣＣ数（又はＴＢ数）を知らせる総ＤＡＩ２（以下、Ｔ−ＤＡＩ２）を定義してＣＧ２に対するＤＬスケジューリング承認ＤＣＩで送信する方案を提案する。
【０２９９】
２個のＣＧ、つまりＣＧ１とＣＧ２が定義され、各ＣＧ内のスケジュールされたＣＣ数が各ＣＧに対する総ＤＡＩ（例えば、Ｔ−ＤＡＩ１、Ｔ−ＤＡＩ２）として知られるとき、基地局がＣＧ１内の一部ＣＣとＣＧ２内の一部ＣＣに対するスケジューリングを行えば、端末はスケジューリング状況を次の３個の場合として認知することができる。
【０３００】
（１）端末はＣＧ１のみに対するスケジューリングが存在すると判断してＡ／ＮペイロードをＴ−ＤＡＩ１として計算。
【０３０１】
（２）端末はＣＧ２に対するスケジューリングが存在すると判断してＡ／ＮペイロードをＴ−ＤＡＩ２として計算。
【０３０２】
（３）端末はＣＧ１及びＣＧ２の両者に対するスケジューリングが存在すると判断してＡ／ＮペイロードをＴ−ＤＡＩ１、Ｔ−ＤＡＩ２として計算。
【０３０３】
この場合、基地局は前記３個の状況に対するブラインド検出を行って、端末がどの仮定の下でＡ／Ｎペイロード（又は、ＵＣＩペイロード）を構成したかを把握しなければならない。しかし、ＣＧ１とＣＧ２に対するＡ／Ｎペイロード（又は、ＵＣＩペイロード）が同じ値を有する場合、基地局は端末がどのＣＧに対するＡ／Ｎ（又は、ＵＣＩ）を送信したかを判別することができない。したがって、本発明では、２個のＣＧ（例えば、ＣＧ１、ＣＧ２）のいずれか１個のＣＧ（例えば、ＣＧ１）に対しては２個のＣＧ内のスケジュールされた総ＣＣ数（又は、ＴＢ数）を知らせるＴ−ＤＡＩＡＬＬを適用及びシグナリングし、他のＣＧ（例えば、ＣＧ２）に対しては該当ＣＧ内のスケジュールされた総ＣＣ数（又はＴＢ数）を知らせるＴ−ＤＡＩ２を適用及びシグナリングする方案を提案する。この場合、Ａ／Ｎペイロード（又はＵＣＩペイロード）のマッピングはＣＧ１＞ＣＧ２の順に従うことができる。すなわち、Ｔ−ＤＡＩＡＬＬを適用するＣＧに対するＡ／Ｎ（又はＵＣＩ）が先に割り当てられる。本発明によって動作する場合、前記例示で端末は次の２個のスケジューリング状況をさらに認知することができる。
【０３０４】
（１）端末は少なくともＣＧ１に対するスケジューリングは存在すると判断してＡ／ＮペイロードをＴ−ＤＡＩＡＬＬとして計算。
【０３０５】
（２）端末はＣＧ２のみに対するスケジューリング存在すると判断してＡ／ＮペイロードをＴ−ＤＡＩ２として計算。
【０３０６】
この場合、Ｔ−ＤＡＩＡＬＬはいつもＴ−ＤＡＩ２より大きい値を有するはずであるから、基地局はＵＣＩペイロードサイズによってＴ−ＤＡＩＡＬＬとＴ−ＤＡＩ２を区別することができる。
【０３０７】
［提案方案Ｂ−４］２個のＣＧ（すなわち、ＣＧ１、ＣＧ２）に対してＣＧ別にスケジュールされたＣＣ数を知らせる各ＣＧに対するカウンターＤＡＩ（すなわち、Ｃ−ＤＡＩ１、Ｃ−ＤＡＩ２）が適用及びシグナリングされるとき、前記ＣＧ１内のＣＣのうちスケジュールされた総ＣＣ数（又はＴＢ数）を知らせる総ＤＡＩ１（以下、Ｔ−ＤＡＩ１）を定義してＣＧ１に対するＤＬスケジューリング承認ＤＣＩで送信し、前記ＣＧ２内のＣＣのうちスケジュールされた総ＣＣ数（又はＴＢ数）を知らせる総ＤＡＩ２（以下、Ｔ−ＤＡＩ１）を定義してＣＧ２に対するＤＬスケジューリング承認ＤＣＩで送信し、端末はＵＣＩ（又はＡ／Ｎ）フィードバック中にＭ個のビットを追加してどのＣＧ組合せに対するフィードバックが実行されたか知らせる方案を提案する。
【０３０８】
例えば、端末はＡ／Ｎペイロードを構成する過程で２ビットを追加して、‘０１’の場合にはＣＧ１のみに対するＡ／Ｎがあることを知らせ、‘１０’の場合にはＣＧ２のみに対するＡ／Ｎがあることを知らせ、‘１１’の場合にはＣＧ１及びＣＧ２に対するＡ／Ｎがあることを知らせることができる。すると、基地局は、前記提案方案Ｂ−３の例示で提示した３個のスケジューリング状況に対して端末がどの仮定をしたかを判別することができる。若しくは、端末は、１ビットを用いて、特定のＣＧ（例えば、ＣＧ２）に対するＡ／Ｎが含まれたかのみを知らせることができる。この場合、端末はＣＧ２のみに対するＡ／Ｎがフィードバックされた場合とＣＧ１及びＣＧ２に対するＡ／Ｎがフィードバックされた場合をＢＤによって区分することができる。
【０３０９】
前記提案方案Ｂ−１、Ｂ−２、Ｂ−３及びＢ−４を適用するとき、Ａ／Ｎペイロード上のマッピング順序は提案方案Ａ−３に従うことができる。
【０３１０】
図２３は、本発明の実施例を実行する送信装置１０及び受信装置２０の構成要素を示すブロック図である。送信装置１０及び受信装置２０は、情報及び／又はデータ、信号、メッセージなどを運ぶ有線及び／又は無線信号を送信又は受信できる送受信ユニット１３，２３と、無線通信システム内の通信と関連した各種情報を記憶するメモリ１２，２２と、送受信ユニット１３，２３及びメモリ１２，２２の構成要素と動作的に接続してこれらの構成要素を制御し、当該装置が前述の本発明の実施例の少なくとも一つを実行するようにメモリ１２，２２及び／又は送受信ユニット１３，２３を制御するように構成されたプロセッサ１１，２１をそれぞれ備える。
【０３１１】
メモリ１２，２２は、プロセッサ１１，２１の処理及び制御のためのプログラムを格納することができ、入／出力される情報を臨時記憶することができる。メモリ１２，２２がバッファーとして活用されてもよい。プロセッサ１１，２１は、一般に、送信装置又は受信装置内の各種モジュールの動作全般を制御する。特に、プロセッサ１１，２１は、本発明を実行するための各種制御機能を果たすことができる。プロセッサ１１，２１をコントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）又はファームウェア（ｆｉｒｍｗａｒｅ）、ソフトウェア、又はこれらの結合によって具現されてもよい。ハードウェアを用いて本発明を具現する場合は、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ４００ａ，４００ｂに設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサ１１，２１内に設けられたりメモリ１２，２２に格納されてプロセッサ１１，２１によって駆動されてもよい。
【０３１２】
送信装置１０におけるプロセッサ１１は、プロセッサ１１又はプロセッサ１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後送受信ユニット１３に送信する。例えば、プロセッサ１１は、送信しようとするデータ列を逆多重化、チャネル符号化、スクランブリング、及び変調などをしてＫ個のレイヤに変換する。符号化されたデータ列はコードワードとも呼ばれ、ＭＡＣ層が提供するデータブロックである伝送ブロックと等価である。一伝送ブロック（ｔｒａｎｓｐｏｒｔ  ｂｌｏｃｋ、ＴＢ）は一コードワードに符号化され、各コードワードは一つ以上のレイヤの形態で受信装置に送信される。周波数アップ変換のために送受信ユニット１３はオシレータ（ｏｓｃｉｌｌａｔｏｒ）を含むことができる。送受信ユニット１３はＮｔ個（Ｎｔは１以上の正の整数）の送信アンテナを含むことができる。
【０３１３】
受信装置２０の信号処理過程は、送信装置１０の信号処理過程の逆となる。プロセッサ２１の制御下に、受信装置２０の送受信ユニット２３は送信装置１０から送信された無線信号を受信する。送受信ユニット２３は、Ｎｒ個の受信アンテナを含むことができ、送受信ユニット２３は受信アンテナから受信した信号のそれぞれを周波数ダウン変換して（ｆｒｅｑｕｅｎｃｙ  ｄｏｗｎ−ｃｏｎｖｅｒｔ）基底帯域信号に復元する。送受信ユニット２３は、周波数ダウン変換のためにオシレータを含むことができる。プロセッサ２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０３１４】
送受信ユニット１３，２３は一つ以上のアンテナを具備する。アンテナは、プロセッサ１１，２１の制御下に、本発明の一実施例によって、送受信ユニット１３，２３で処理された信号を外部に送信したり、外部から無線信号を受信して送受信ユニット１３，２３に伝達する機能を果たす。アンテナはアンテナポートと呼ばれることもある。各アンテナは一つの物理アンテナに該当したり、２以上の物理アンテナ要素（ｅｌｅｍｅｎｔ）の組合せによって構成されてもよい。各アンテナから送信された信号は受信装置２０によってそれ以上分解されることはない。当該アンテナに対応して送信された参照信号（ｒｅｆｅｒｅｎｃｅ  ｓｉｇｎａｌ、ＲＳ）は受信装置２０の観点で見たアンテナを定義し、チャネルが一物理アンテナからの単一（ｓｉｎｇｌｅ）無線チャネルであるか、或いは当該アンテナを含む複数の物理アンテナ要素（ｅｌｅｍｅｎｔ）からの合成（ｃｏｍｐｏｓｉｔｅ）チャネルであるかに関係なく、受信装置２０にとって当該アンテナに対するチャネル推定を可能にする。すなわち、アンテナは、該アンテナ上のシンボルを伝達するチャネルが同一アンテナ上の他のシンボルが伝達される上記チャネルから導出されるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送受信ユニットの場合は２個以上のアンテナに接続されてもよい。
【０３１５】
本発明の実施例において、ＵＥが上りリンクでは送信装置１０として動作し、下りリンクでは受信装置２０として動作する。本発明の実施例において、ｅＮＢが上りリンクでは受信装置２０として動作し、下りリンクでは送信装置１０として動作する。
【０３１６】
送信装置１０又は受信装置２０は、上述した本発明の実施例のうちの少なくとも１つ又は２つ以上の実施例の組合せを実行することができる。
【０３１７】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０３１８】
本発明は、端末、リレー、基地局などのような通信装置に利用可能である。
【図１】
0006454786.tif 000047
【図２】
0006454786.tif 000048
【図３】
0006454786.tif 000049
【図４】
0006454786.tif 000050
【図５】
0006454786.tif 000051
【図６】
0006454786.tif 000052
【図７】
0006454786.tif 000053
【図８】
0006454786.tif 000054
【図９】
0006454786.tif 000055
【図１０】
0006454786.tif 000056
【図１１】
0006454786.tif 000057
【図１２】
0006454786.tif 000058
【図１３】
0006454786.tif 000059
【図１４】
0006454786.tif 000060
【図１５】
0006454786.tif 000061
【図１６】
0006454786.tif 000062
【図１７】
0006454786.tif 000063
【図１８】
0006454786.tif 000064
【図１９】
0006454786.tif 000065
【図２０】
0006454786.tif 000066
【図２１】
0006454786.tif 000067
【図２２】
0006454786.tif 000068
【図２３】
0006454786.tif 000069